(57)【特許請求の範囲】
【請求項１】
複数のカラオケ楽曲ごとに楽曲データを格納したカラオケ楽曲データベースを備え、前記カラオケ楽曲データベースから読み出された楽曲データの再生処理に伴って、カラオケ楽曲に応じた歌詞を表示するカラオケシステムにおいて、
表示される歌詞に係る歌詞テキストの動き方を規定した歌詞パターンを、複数種類格納した歌詞パターンデータベースを有しており、
前記複数種類の歌詞パターンには、カラオケ楽曲のフレーズに応じた歌詞部分に含まれる歌詞テキストが一文字ずつ表示される第１のタイプ及びカラオケ楽曲のフレーズに応じた歌詞部分に含まれる歌詞テキストの全文字が一度に表示される第２のタイプがあり、
前記カラオケ楽曲データベースには、前記楽曲データに対応付けて、歌詞テキストに係る歌詞テキストデータと、前記第１のタイプの歌詞パターンに対応した第１の表示タイミング及び前記第２のタイプの歌詞パターンに対応した第２の表示タイミングを含むタイミングデータとが格納してあり、
カラオケ楽曲の再生時に動いて表示される歌詞テキストの動き方の編集操作が可能な編集画面を表示する手段と、
前記編集画面でのユーザ操作に基づいて、前記複数種類の歌詞パターンの中から一つの歌詞パターンを選択する選択手段と、
前記選択手段が選択した歌詞パターンに応じた表示タイミングを、前記タイミングデータが含む第１又は第２の表示タイミングから特定する特定手段と、
楽曲データの再生処理を行う場合、前記特定手段が特定した第１又は第２の表示タイミングのいずれかで、前記選択手段が選択した歌詞パターンが規定する歌詞テキストの動き方に基づいて、前記楽曲データに対応付けられた歌詞テキストデータの表示処理を行う歌詞表示手段と
を備えることを特徴とするカラオケシステム。
【請求項２】
前記タイミングデータには、歌詞テキストの動く時間が規定してあり、
前記歌詞表示手段の表示処理によって、前記タイミングデータが規定する歌詞テキストの動く時間の間、歌詞テキストが動いて表示されるようにしてある請求項１に記載のカラオケシステム。
【請求項３】
複数の背景画像を含む背景画像データを格納した背景画像データベースと、
背景画像データに含まれる背景画像の表示処理を行う背景画像表示手段と
を備え、
前記タイミングデータには、背景画像の表示を切り替える切替タイミングが規定してあり、
楽曲データの再生処理を行う場合、前記背景画像表示手段は、前記タイミングデータが規定する切替タイミングに従って、表示対象となる背景画像を複数の中から順次切り替えるようにしてあり、
前記背景画像は、カラオケ画面を形成する複数のレイヤーの中の背景画像用のレイヤーに表示されるようにしてあり、
前記歌詞テキストは、前記背景画像用のレイヤーの上方に重ねられるレイヤーに表示されるようにしてある請求項１又は請求項２に記載のカラオケシステム。
【請求項４】
カラオケ楽曲の再生状態を棒グラフ的に示すイコライザーの表示形態を規定したイコライザーパターンを、複数種類格納したイコライザーパターンデータベースと、
楽曲データの再生処理を行う場合、複数種類の中の一つのイコライザーパターンが規定した表示形態に基づいて、イコライザーの表示処理を行う手段と
を備え、
前記イコライザーは、カラオケ画面を形成する複数のレイヤーの中のイコライザー用のレイヤーに表示されるようにしてあり、
前記歌詞テキストは、前記イコライザー用のレイヤーの上方に重ねられるレイヤーに表示されるようにしてある請求項１乃至請求項３のいずれか１項に記載のカラオケシステム。
【請求項５】
前記イコライザーと、前記歌詞テキストとは、相異する色で表示されるようにしてある請求項４に記載のカラオケシステム。
【請求項６】
複数のカラオケ楽曲ごとに楽曲データを格納したカラオケ楽曲データベースを備えたカラオケシステムが、前記カラオケ楽曲データベースから読み出された楽曲データの再生処理に伴って、カラオケ楽曲に応じた歌詞を表示するカラオケ歌詞表示方法において、
前記カラオケシステムは、表示される歌詞に係る歌詞テキストの動き方を規定した歌詞パターンを、複数種類格納した歌詞パターンデータベースを有しており、
前記歌詞パターンデータベースが格納する歌詞パターンの種類のタイプには、カラオケ楽曲のフレーズに応じた歌詞部分に含まれる歌詞テキストが一文字ずつ表示される第１のタイプ及びカラオケ楽曲のフレーズに応じた歌詞部分に含まれる歌詞テキストの全文字が一度に表示される第２のタイプがあり、
前記カラオケ楽曲データベースには、前記楽曲データに対応付けて、歌詞テキストに係る歌詞テキストデータと、前記第１のタイプの歌詞パターンに対応した第１の表示タイミング及び前記第２のタイプの歌詞パターンに対応した第２の表示タイミングを含むタイミングデータとが格納してあり、
前記カラオケシステムは、
カラオケ楽曲の再生時に動いて表示される歌詞テキストの動き方の編集操作が可能な編集画面を表示するステップと、
前記編集画面でのユーザ操作に基づいて、前記複数種類の歌詞パターンの中から一つの歌詞パターンを選択するステップと、
選択した歌詞パターンに応じた表示タイミングを、前記タイミングデータが含む第１又は第２の表示タイミングから特定するステップと、
楽曲データの再生処理を行う場合、特定した第１又は第２の表示タイミングのいずれかで、選択した歌詞パターンが規定する歌詞テキストの動き方に基づいて、前記楽曲データに対応付けられた歌詞テキストデータの表示処理を行うステップと
を備えることを特徴とするカラオケ歌詞表示方法。
【請求項７】
カラオケ楽曲の楽曲データの再生処理に伴って、カラオケ楽曲に応じた歌詞の表示を行うカラオケ端末装置において、
外部のサーバから、楽曲データと、前記楽曲データに対応付けられた歌詞テキストデータと、表示される歌詞に係る歌詞テキストの動き方を規定した複数種類の歌詞パターンと、カラオケ楽曲のフレーズに応じた歌詞部分に含まれる歌詞テキストが一文字ずつ表示される第１のタイプの歌詞パターンに対応した第１の表示タイミング及びカラオケ楽曲のフレーズに応じた歌詞部分に含まれる歌詞テキストの全文字が一度に表示される第２のタイプの歌詞パターンに対応した第２の表示タイミングを含むタイミングデータとを取得する手段と、
カラオケ楽曲の再生時に動いて表示される歌詞テキストの動き方の編集操作が可能な編集画面を表示する手段と、
前記編集画面でのユーザ操作に基づいて、前記複数種類の歌詞パターンの中から一つの歌詞パターンを選択する手段と、
選択した歌詞パターンに応じた表示タイミングを、前記タイミングデータが含む第１又は第２の表示タイミングから特定する手段と、
楽曲データの再生処理を行う場合、特定した第１又は第２の表示タイミングのいずれかで、選択した歌詞パターンが規定する歌詞テキストの動き方に基づいて、前記楽曲データに対応付けられた歌詞テキストデータの表示処理を行う手段と
を備えることを特徴とするカラオケ端末装置。
【請求項８】
通信手段を有するコンピュータに、カラオケ楽曲の楽曲データの再生処理に伴って、カラオケ楽曲に応じた歌詞の表示処理を行わせるためのコンピュータプログラムにおいて、
前記コンピュータを、
外部のサーバから、楽曲データと、前記楽曲データに対応付けられた歌詞テキストデータと、表示される歌詞に係る歌詞テキストの動き方を規定した複数種類の歌詞パターンと、カラオケ楽曲のフレーズに応じた歌詞部分に含まれる歌詞テキストが一文字ずつ表示される第１のタイプの歌詞パターンに対応した第１の表示タイミング及びカラオケ楽曲のフレーズに応じた歌詞部分に含まれる歌詞テキストの全文字が一度に表示される第２のタイプの歌詞パターンに対応した第２の表示タイミングを含むタイミングデータとを、前記通信手段を介して取得する処理を行う手段と、
カラオケ楽曲の再生時に動いて表示される歌詞テキストの動き方の編集操作が可能な編集画面を表示する処理を行う手段と、
前記編集画面でのユーザ操作に基づいて、前記複数種類の歌詞パターンの中から一つの歌詞パターンを選択する処理を行う手段と、
選択した歌詞パターンに応じた表示タイミングを、前記タイミングデータが含む第１又は第２の表示タイミングから特定する処理を行う手段と、
楽曲データの再生処理を行う場合、特定した第１又は第２の表示タイミングのいずれかで、選択した歌詞パターンが規定する歌詞テキストの動き方に基づいて、前記楽曲データに対応付けられた歌詞テキストデータの表示処理を行う手段として機能させることを特徴とするコンピュータプログラム。
【発明の詳細な説明】
【技術分野】
【０００１】
本発明は、カラオケの歌詞テキストを動く形態で表示可能にしたカラオケシステム、カラオケ歌詞表示方法、カラオケ端末装置、及びコンピュータプログラムに関する。
【背景技術】
【０００２】
従来のカラオケシステムでは、カラオケを楽しむユーザが歌唱すべき歌詞の内容を確認できるように、カラオケ楽曲の再生の進行状況に応じた歌詞を示すカラオケ画面を表示する。下記の特許文献１、２では、表示される歌詞が、年齢層又は母国語の異なるユーザ等にマッチしたものとなるように、歌詞を示すフォントの大きさを変更可能にしたもの、漢字を含むテキスト以外に、平仮名のみのテキストで歌詞を表示可能としたもの、外国語で歌詞を表示可能としたものなどが開示される。
【０００３】
また、表示した一連の歌詞テキストの中で、現在のカラオケ楽曲の再生進行状況に応じた歌詞部分をユーザが把握できるようにするため、歌唱タイミングに応じた歌詞テキスト部分のフォントの形状又は色等を他と相異させるものがある（下記の特許文献３参照）。さらには、カラオケを利用するユーザの嗜好等に応じて、画面上での歌詞の表示箇所を上下左右の中から設定できると共に、横書き又は縦書きで歌詞を表示できるようにしたものがある（下記の特許文献４参照）。
【先行技術文献】
【特許文献】
【０００４】
【特許文献１】特開２００２−８２６７８号公報
【特許文献２】特開平８−１３７４８１号公報
【特許文献３】特開平１１−２４９６６６号公報
【特許文献４】特開平９−８１１７０号公報
【発明の概要】
【発明が解決しようとする課題】
【０００５】
上述したように、カラオケ楽曲の歌詞の表示形態は有る程度、ユーザの設定等により変更できるようになっているが、その変更ができる程度の度合い、バリエーション等はまだまだ限られている。
【０００６】
また、一般にカラオケのユーザは、歌唱を楽しむために、自己の気持ちが盛り上げるような雰囲気を好むことが多く、歌唱対象となるカラオケ楽曲が有するイメージ等にマッチした雰囲気になると、歌唱するユーザの気分も良好となり、ユーザの満足度も高くなる。ユーザの気持ちを盛り上げるためには、カラオケ楽曲の再生時に表示される歌詞を含むカラオケ画面の中身を工夫することで、視覚的に雰囲気を盛り上げることが考えられる。
【０００７】
しかし、歌詞を含むカラオケ画面の内容を工夫するとしても、歌詞の表示形態に関しては、従来の手法によると、歌詞のフォントサイズを変える、平仮名で歌詞を表示、外国で歌詞を表示、フォントの形状又は色等を変える、歌詞の表示箇所を変える、歌詞の縦書きと横書きを変えるという程度に留まることから、このような従来の手法ではカラオケを楽しむユーザの雰囲気を十分盛り上げるには至らない。
【０００８】
歌詞の表示の仕方で、雰囲気を盛り上げるには、例えば、従来の歌詞表示形態を更に発展させて、例えば、歌詞テキストが画面の右から左へ流れて動くようすること、あるいは画面の下から上へ流れて動くようにするなどの様々な形態（表示される歌詞が動くタイポグラフィー的な形態）で歌詞表示を行うことが考えられる。
【０００９】
このように歌詞テキストの動く形態（歌詞テキストのタイポグラフィー的な形態）を実現する一つの手法としては、動く形態の歌詞テキストを含んだ内容でカラオケ画面を作り込むことが考えられる。しかし、それでは、一つのカラオケ楽曲に対して複数種類の形態で歌詞テキスト動くことを選択式に利用可能とした場合、一つのカラオケ楽曲ごとに複数種類のカラオケ画面を作り込むことが必要となり、カラオケ画面の作り込みに手間と時間がかかると共に、これらの作り込んだカラオケ画面のデータ保存に必要な記憶容量も大きくなるという問題がある。
【００１０】
また、歌詞テキストを動く形態で表示する場合は、その動く形態の種類（バリエーション）によっては、表示のタイミング、動く時間等もそれぞれ相異することが想定されるので、歌詞テキストを動く形態で表示するには、それらの表示のタイミング、動く時間等についても配慮する必要がある。
【００１１】
さらに、カラオケ歌唱時のユーザの気分を盛り上げるための他の視覚的な工夫としては、カラオケ楽曲の再生状態を棒グラフ的に示すイコライザーをカラオケ画面に表示すること、又は、カラオケ楽曲の再生進行に合わせて、歌詞が表示される背景の画像も適宜切り替えることなども考えられる。しかし、これらの工夫は単発で用いるよりも、上述した歌詞を動く形態でタイポグラフィー的に表示することと組み合わせた方が、視覚的な相乗効果としてユーザの気分を一層盛り上げられると予想される。
【００１２】
本発明は、斯かる事情に鑑みてなされたものであり、動く形態の歌詞テキストを含むカラオケ画面を作り込むのではなく、歌詞テキストの動き方を規定した歌詞パターンを用いることで、様々に動く形態の歌詞テキストを表示できるようにしたカラオケシステム、カラオケ歌詞表示方法、カラオケ端末装置、及びコンピュータプログラムを提供することを目的とする。
【００１３】
また、本発明は、歌詞テキストの動き方として、表示タイミング等が異なる複数種類の歌詞パターンを適用できるようにした場合、複数種類の歌詞表示タイミングを規定したタイミングデータを用いることで、様々なバリエーションの動き方で歌詞テキストを表示できるようにしたカラオケシステム、カラオケ歌詞表示方法、カラオケ端末装置、及びコンピュータプログラムを提供することを目的とする。
【００１４】
さらに、本発明は、様々な形態で動く歌詞テキストに、イコライザー表示又は背景画面の切替表示を組み合わせてカラオケ画面を表示することにより、カラオケユーザーの気分を一段と視覚的に盛り上げられるようにしたカラオケシステム、カラオケ歌詞表示方法、カラオケ端末装置、及びコンピュータプログラムを提供することを目的とする。
【課題を解決するための手段】
【００１５】
上記課題を解決するために本発明に係るカラオケシステムは、複数のカラオケ楽曲ごとに楽曲データを格納したカラオケ楽曲データベースを備え、前記カラオケ楽曲データベースから読み出された楽曲データの再生処理に伴って、歌詞を示すカラオケ画面を表示するカラオケシステムにおいて、前記カラオケ楽曲データベースには、前記楽曲データに対応付けて、歌詞テキストに係る歌詞テキストデータが格納してあり、表示される歌詞テキストの動き方を規定した歌詞パターンを、複数種類格納した歌詞パターンデータベースと、楽曲データの再生処理を行う場合、複数種類の中の一つの歌詞パターンが規定する歌詞テキストの動き方に基づいて、前記楽曲データに対応付けられた歌詞テキストデータの表示処理を行う歌詞表示手段とを備えることを特徴とする。
【００１６】
また、本発明に係るカラオケシステムは、複数のカラオケ楽曲ごとに楽曲データを格納したカラオケ楽曲データベースを備え、前記カラオケ楽曲データベースから読み出された楽曲データの再生処理に伴って、歌詞を示すカラオケ画面を表示するカラオケシステムにおいて、前記カラオケ楽曲データベースには、前記楽曲データに対応付けて、歌詞テキストに係る歌詞テキストデータと、複数種類の歌詞表示タイミングを規定したタイミングデータとが格納してあり、表示される歌詞テキストの動き方を規定した歌詞パターンを、複数種類格納した歌詞パターンデータベースと、楽曲データの再生処理を行う場合、前記楽曲データに対応付けられたタイミングデータが規定する複数種類の中の一つの歌詞表示タイミングで、複数種類の中の一つの歌詞パターンが規定する歌詞テキストの動き方に基づいて、前記楽曲データに対応付けられた歌詞テキストデータの表示処理を行う歌詞表示手段とを備えることを特徴とする。
【００１７】
さらに、本発明に係るカラオケシステムは、複数のカラオケ楽曲ごとに楽曲データを格納したカラオケ楽曲データベースを備え、前記カラオケ楽曲データベースから読み出された楽曲データの再生処理に伴って、歌詞を示すカラオケ画面を表示するカラオケシステムにおいて、表示される歌詞テキストの動き方を規定した歌詞パターンを、複数種類格納した歌詞パターンデータベースを有しており、前記カラオケ楽曲データベースには、前記楽曲データに対応付けて、歌詞テキストに係る歌詞テキストデータと、複数種類の歌詞表示タイミングごとの歌詞パターンを指定したタイミングデータとが格納してあり、前記複数種類の歌詞パターンの中から一つの歌詞パターンを選択する選択手段と、前記選択手段が選択した歌詞パターンに応じた歌詞表示タイミングを、前記タイミングデータの中から特定する特定手段と、楽曲データの再生処理を行う場合、前記特定手段が特定した歌詞表示タイミングで、前記選択手段が選択した歌詞パターンが規定する歌詞テキストの動き方に基づいて、前記楽曲データに対応付けられた歌詞テキストデータの表示処理を行う歌詞表示手段とを備えることを特徴とする。
【００１８】
さらにまた、本発明に係るカラオケシステムは、複数のカラオケ楽曲ごとに楽曲データを格納したカラオケ楽曲データベースを備え、前記カラオケ楽曲データベースから読み出された楽曲データの再生処理に伴って、歌詞を示すカラオケ画面を表示するカラオケシステムにおいて、前記カラオケ楽曲データベースには、前記楽曲データに対応付けて、歌詞テキストに係る歌詞テキストデータが格納してあり、表示される歌詞テキストの動き方を規定した歌詞パターンを、複数種類格納した歌詞パターンデータベースと、カラオケ楽曲中の一の期間に応じた箇所の楽曲データの再生処理を行う場合、複数種類の中の一つの歌詞パターンが規定した動き方に基づいて、前記楽曲データに対応付けられた歌詞テキストデータの表示処理を行う歌詞表示手段と、前記カラオケ楽曲中の他の期間に応じた箇所の楽曲データの再生処理を行う場合、前記歌詞表示手段が複数種類の中の他の歌詞パターンが規定する歌詞テキストの動き方に基づいて歌詞テキストデータの表示処理を行うように、歌詞パターンの切替を行う手段とを備えることを特徴とする。
【００１９】
また、本発明に係るカラオケシステムは、前記タイミングデータには、歌詞テキストの動く時間が規定してあり、前記歌詞表示手段の表示処理によって、前記タイミングデータが規定する歌詞テキストの動く時間の間、歌詞テキストが動いて表示されるようにしてあることを特徴とする。
【００２０】
さらに、本発明に係るカラオケシステムは、複数の背景画像を含む背景画像データを格納した背景画像データベースと、背景画像データに含まれる背景画像の表示処理を行う背景画像表示手段とを備え、前記タイミングデータには、背景画像の表示を切り替える切替タイミングが規定してあり、楽曲データの再生処理を行う場合、前記背景画像表示手段は、前記タイミングデータが規定する切替タイミングに従って、表示対象となる背景画像を複数の中から順次切り替えるようにしてあり、前記背景画像は、カラオケ画面を形成する複数のレイヤーの中の背景画像用のレイヤーに表示されるようにしてあり、前記歌詞テキストは、前記背景画像用のレイヤーの上方に重ねられるレイヤーに表示されるようにしてあることを特徴とする。
【００２１】
さらにまた、本発明に係るカラオケシステムは、カラオケ楽曲の再生状態を棒グラフ的に示すイコライザーの表示形態を規定したイコライザーパターンを、複数種類格納したイコライザーパターンデータベースと、楽曲データの再生処理を行う場合、複数種類の中の一つのイコライザーパターンが規定した表示形態に基づいて、イコライザーの表示処理を行う手段とを備え、前記イコライザーは、カラオケ画面を形成する複数のレイヤーの中のイコライザー用のレイヤーに表示されるようにしてあり、前記歌詞テキストは、前記イコライザー用のレイヤーの上方に重ねられるレイヤーに表示されるようにしてあることを特徴とする。
そして、本発明に係るカラオケシステムは、前記イコライザーと、前記歌詞テキストとは、相異する色で表示されるようにしてあることを特徴とする。
【００２２】
本発明に係るカラオケ歌詞表示方法は、複数のカラオケ楽曲ごとに楽曲データを格納したカラオケ楽曲データベースを備えたカラオケシステムが、前記カラオケ楽曲データベースから読み出された楽曲データの再生処理に伴って、歌詞を示すカラオケ画面を表示するカラオケ歌詞表示方法において、前記カラオケ楽曲データベースには、前記楽曲データに対応付けて、歌詞テキストに係る歌詞テキストデータが格納してあり、前記カラオケシステムは、表示される歌詞テキストの動き方を規定した歌詞パターンを、複数種類格納した歌詞パターンデータベースを有しており、楽曲データの再生処理を行う場合、複数種類の中の一つの歌詞パターンが規定する歌詞テキストの動き方に基づいて、前記楽曲データに対応付けられた歌詞テキストデータの表示処理を行うことを特徴とする。
【００２３】
また、本発明に係るカラオケ端末装置は、カラオケ楽曲の楽曲データの再生処理に伴って、歌詞を示すカラオケ画面の表示を行うカラオケ端末装置において、歌詞テキストに係る歌詞テキストデータを楽曲データに対応付けて格納したカラオケ楽曲データベース、及び表示される歌詞テキストの動き方を規定した歌詞パターンを、複数種類格納した歌詞パターンデータベースを備える外部のサーバから、楽曲データと、前記楽曲データに対応付けられた歌詞テキストデータと、歌詞パターンとを取得する手段と、楽曲データの再生処理を行う場合、取得した歌詞パターンが規定する歌詞テキストの動き方に基づいて、前記楽曲データに対応付けられた歌詞テキストデータの表示処理を行う手段とを備えることを特徴とする。
【００２４】
さらに、本発明に係るコンピュータプログラムは、通信手段及び表示部を有するコンピュータに、カラオケ楽曲の楽曲データの再生処理に伴って、歌詞を示すカラオケ画面の表示処理を行わせるためのコンピュータプログラムにおいて、前記コンピュータを、歌詞テキストに係る歌詞テキストデータを楽曲データに対応付けて格納したカラオケ楽曲データベース、及び表示される歌詞テキストの動き方を規定した歌詞パターンを、複数種類格納した歌詞パターンデータベースを備える外部のサーバから、楽曲データと、前記楽曲データに対応付けられた歌詞テキストデータと、歌詞パターンとを、前記通信手段を介して取得する処理を行う手段と、楽曲データの再生処理を行う場合、取得した歌詞パターンが規定する歌詞テキストの動き方に基づいて、前記楽曲データに対応付けられた歌詞テキストデータの表示処理を行う手段として機能させることを特徴とする。
【００２５】
本発明にあっては、複数種類の歌詞パターンを格納した歌詞パターンデータベースを有し、楽曲データの再生処理を行う場合に、複数種類の中の一つの歌詞パターンが規定する歌詞テキストの動き方に基づいて、歌詞テキストデータの表示処理を行うので、動く形態の歌詞テキストを含むカラオケ画面を作り込むことなく、様々な形態で動く歌詞テキストを含んだカラオケ画面を表示できるようになり、視覚を通じてカラオケを楽しむユーザの気分を盛り上げることが可能となる。
【００２６】
本発明にあっては、複数種類の歌詞表示タイミングを規定したタイミングデータをカラオケ楽曲データベースに格納すると共に、複数種類の歌詞パターンを格納した歌詞パターンデータベースを有し、楽曲データの再生処理を行う場合に、その楽曲データに応じたタイミングデータが複数規定する中の一つの歌詞表示タイミングで、複数種類の中の一つの歌詞パターンが規定する歌詞テキストの動き方に基づいて、歌詞テキストデータの表示処理を行うので、動く形態の歌詞テキストを含むカラオケ画面を作り込むことなく、様々な形態で動く歌詞テキストを含んだカラオケ画面を表示できるようになると共に、このように動いて表示される形態の歌詞テキストを、カラオケ楽曲の再生進行状況に応じたタイミングで表示できるようになる。
【００２７】
本発明にあっては、複数種類の歌詞パターンを格納した歌詞パターンデータベースを備えると共に、複数種類の歌詞表示タイミングごとの歌詞パターンを指定したタイミングデータをカラオケ楽曲データベースに予め格納しておき、一つの歌詞パターンが選択されて、楽曲データの再生処理を行う場合に、選択された歌詞パターンに応じた歌詞表示タイミングで、選択された歌詞パターンが規定する歌詞テキストの動き方に基づいて、歌詞テキストデータの表示処理を行うので、動く形態の歌詞テキストを含むカラオケ画面を作り込むことなく、ユーザの所望する形態で動く歌詞テキストを含んだカラオケ画面を適切なタイミングで表示できるようになり、ユーザ自身の気分に合った歌詞の表示形態によって、カラオケを歌唱するユーザの気分を盛り上げることが可能となる。
【００２８】
本発明にあっては、複数種類の歌詞パターンを格納した歌詞パターンデータベースを有し、カラオケ楽曲中の一の所定期間に応じた箇所の楽曲データの再生処理を行う場合に、複数種類の中の一つの歌詞パターンが規定する歌詞テキストの動き方に基づいて、歌詞テキストデータの表示処理を行い、他の所定期間に応じた箇所の楽曲データの再生処理を行う場合に、複数種類の中の他の歌詞パターンが規定する歌詞テキストの動き方に基づいて、歌詞テキストデータの表示処理を行うように切り替えるので、一つのカラオケ楽曲を歌唱する間に、歌詞テキストの動き方も順次切り替わることになり、次に、歌詞テキストが、どのような動き方をするかというワクワク感、期待感をユーザは楽しむことが可能となって、カラオケ楽曲を歌唱するユーザの気持ちを盛り上げることができる。なお、このように表示処理に用いる歌詞パターンを順次切り替えるのは、システム側でランダムに行うことも、ユーザの設定により行うことも、いずれも可能である。
【００２９】
本発明にあっては、タイミングデータが規定する歌詞テキストの動く時間の間、歌詞テキストが動くように表示されるので、歌詞テキストの表示タイミングをカラオケ楽曲の再生進行状況に合わせて適切に制御できるようになり、動くように歌詞テキストを表示した場合でも、カラオケ楽曲の再生進行状況に応じた歌詞をユーザに提示できる。
【００３０】
本発明にあっては、歌詞テキストを表示すると共に、タイミングデータが規定する切替タイミングに従って複数の背景画像を順次切り替えて表示するので、両者の視覚的な相乗効果によって、カラオケ楽曲を楽しむユーザの気分を更に盛り上げることが可能になり、また、歌詞テキストの表示されるレイヤーが、背景画像の表示されるレイヤーより常に上方となるように重ねられるので、背景画像が切り替えて表示されたとしても、ユーザへの歌詞テキストの視認性は確保される。
【００３１】
本発明にあっては、歌詞テキストと共にイコライザーを表示するので、両者の視覚的な相乗効果によって、ユーザの気分を更に盛り上げることが可能になり、また、歌詞テキストの表示されるレイヤーが、イコライザーの表示されるレイヤーの上方に重ねられるので、カラオケ画面上において歌詞テキストとイコライザーとが重なっても、歌詞テキストがイコライザーの上に表示されるので、歌詞テキストが読めなくなることもない。
【００３２】
本発明にあっては、イコライザーと、歌詞テキストとを相異する色で表示するので、カラオケ画面における歌詞テキストとイコライザーとが同じ箇所に表示されたとしても、歌詞テキストの視認性は妨げられない。
【発明の効果】
【００３３】
本発明にあっては、動く形態の歌詞テキストを含むカラオケ画面を作り込むことなく、様々な形態で動く歌詞テキストを含んだカラオケ画面を表示でき、視覚を通じてカラオケを楽しむユーザの気分を盛り上げられる。
【００３４】
本発明にあっては、動く形態の歌詞テキストを含むカラオケ画面を作り込むことなく、様々な形態で動く歌詞テキストを、カラオケ楽曲の再生進行状況に応じたタイミングで表示でき、タイミング良くカラオケ歌詞をユーザに提示しながら、視覚を通じてカラオケを楽しむユーザの気分を盛り上げられる。
【００３５】
本発明にあっては、動く形態の歌詞テキストを含むカラオケ画面を作り込むことなく、ユーザの所望する形態で動く歌詞テキストを含んだカラオケ画面を、カラオケ楽曲の再生進行状況に応じたタイミングで表示でき、ユーザ自身の嗜好に合った形態で動く歌詞によって、カラオケを楽しむユーザの気分を盛り上げることができる。
【００３６】
本発明にあっては、動く形態の歌詞テキストを含むカラオケ画面を作り込むことなく、一つのカラオケ楽曲を歌唱する間に、歌詞テキストの動き方も順次切り替わるので、次に、歌詞テキストが、どのような動き方をするかというワクワク感、期待感をユーザは楽しむことができ、カラオケ楽曲を楽しむユーザの気持ちを一段と盛り上げることができる。
【００３７】
本発明にあっては、歌詞テキストの動く時間を制御でき、カラオケ楽曲の再生進行のタイミングに適応するように歌詞テキストの動かす状況を調整でき、歌詞が動いて表示されても、カラオケ楽曲の再生進行に応じた歌詞を確実にユーザへ提示できる。
【００３８】
本発明にあっては、歌詞テキストを表示すると共に、タイミングデータが規定する切替タイミングに従って複数の背景画像を順次切り替えて表示するので、両者の視覚的な相乗効果によって、カラオケ楽曲を楽しむユーザの気分を更に盛り上げることを実現でき、また、歌詞テキストの表示されるレイヤーが、背景画像の表示されるレイヤーより常に上方となるように重ねられるので、ユーザは歌詞テキストを確実に読み取ることができる。
【００３９】
本発明にあっては、歌詞テキストと共にイコライザーを表示するので、両者の視覚的な相乗効果によって、ユーザの気分を更に盛り上げることができ、また、歌詞テキストをイコライザーの上方となるように重ねて表示するので、歌詞テキストが読めなくなることも防止できる。
さらに、本発明にあっては、イコライザーと、歌詞テキストとを相異する色で表示するので、ユーザの気分を盛り上げる工夫を行っても、歌詞テキストを確実に読める表示形態を提供できる。
【図面の簡単な説明】
【００４０】
【図１】本発明の実施形態に係るカラオケシステムの全体的な構成を示す概略図である。
【図２】カラオケサーバの主要な内部構成を示すブロック図である。
【図３】（ａ）はカラオケ楽曲データベースの中身の概要を示す図表であり、（ｂ）は一つのカラオケファイルの構造を示す概略図である。
【図４】複数のカラオケファイルごとの情報データ部の中身の概要を示す図表である。
【図５】（ａ）は表示タイミングＮｏ．１の概要を示すタイムチャート、（ｂ）は表示タイミングＮｏ．２の概要を示すタイムチャート、（ｃ）は消去タイミングＮｏ．１の概要を示すタイムチャート、（ｄ）は消去タイミングＮｏ．２の概要を示すタイムチャート、（ｅ）は背景画像切替タイミングの概要を示すタイムチャートである。
【図６】表示タイミングＮｏ．１、２のそれぞれに対応付けられたタイポグラフィー素材を示す割当テーブルである。
【図７】素材ＤＢを構成する各種素材データベースの中身を示す図表であり、（ａ）パーティクル素材ＤＢ、（ｂ）はタイポグラフィー素材ＤＢ、（ｃ）はイコライザー素材ＤＢ、（ｄ）はムービー画像素材ＤＢ、（ｅ）はムービー映像素材ＤＢである。
【図８】（ａ）はパーティクル素材の複数の表示例を示す概略図、（ｂ）はイコライザー素材の複数の表示例を示す概略図である。
【図９】（ａ）〜（ｄ）は、「ライトフレームイン」という素材名のタイポグラフィー素材が規定する歌詞テキストの動き方の例を示す概略図である。
【図１０】（ａ）〜（ｄ）は、「アッパーフレームイン」という素材名のタイポグラフィー素材が規定する歌詞テキストの動き方の例を示す概略図である。
【図１１】（ａ）〜（ｄ）は、「スライディング」という素材名のタイポグラフィー素材が規定する歌詞テキストの動き方の例を示す概略図である。
【図１２】（ａ）〜（ｄ）は、「レインダウン」という素材名のタイポグラフィー素材が規定する歌詞テキストの動き方の例を示す概略図である。
【図１３】（ａ）〜（ｄ）は、「エピソード」という素材名のタイポグラフィー素材が規定する歌詞テキストの動き方の例を示す概略図である。
【図１４】（ａ）はムービー画像素材に含まれる複数の動画像ファイル（背景画像）の表示の切り替え方を示す概略図、（ｂ）はムービー映像素材の表示の仕方を示す概略図である。
【図１５】カラオケ端末装置の主要な内部構成を示すブロック図である。
【図１６】（ａ）はユーザ素材ＤＢの中身を示す図表であり、（ｂ）はユーザ素材による格子状サムネイル画面を示す概略図である。
【図１７】カラオケ背景設定ＤＢの中身を示す図表である。
【図１８】（ａ）はカラオケお気に入りリストを示す図表であり、（ｂ）はカラオケ履歴リストを示す図表である。
【図１９】（ａ）はカラオケ予約リストを示す図表、（ｂ）は楽曲リストを示す図表である。
【図２０】編集画面を示す概略図である。
【図２１】（ａ）は第１メニューを示す概略図、（ｂ）は第２メニューを示す概略図である。
【図２２】（ａ）は編集画面のレイヤーアイコンを示す概略図、（ｂ）は素材サムネイル部を示す概略図である。
【図２３】登録確認メニューを示す概略図である。
【図２４】（ａ）〜（ｄ）はカラオケ楽曲の再生進行に伴うカラオケ画面の合成画像の表示状態を示す概略図である。
【発明を実施するための形態】
【実施例１】
【００４１】
図１は、本発明の実施形態に係るカラオケシステム１の全体の主要構成を示す概略図である。本実施形態のカラオケシステム１は、カラオケ楽曲を提供するシステム側に設けられるカラオケサーバ１０と、ユーザ側に設けられるカラオケ端末装置３０とをネットワークＮＷで接続した構成になっている。カラオケサーバ１０は、カラオケ楽曲ＤＢ（データベース）２０及びカラオケ画面を構成する各種素材データ（データファイル）を格納した素材ＤＢ２１等の各種データベースを備えており、ユーザの要望するカラオケ楽曲を、ネットワークＮＷを介してカラオケ端末装置３０へ供給する。カラオケ端末装置３０は、カラオケサーバ１０から供給されたカラオケ楽曲を再生すると共に、複数のレイヤー（素材が配置される素材レイヤー）を重ね合わせた合成画像をカラオケ画面として表示する。
【００４２】
特に、本実施形態では、歌詞テキストの動き方を規定した歌詞パターン（以下、「タイポグラフィー素材」と称す）を用いて、複数の素材レイヤーの中の一つにおいて、歌詞テキストを今までにない形態で様々に動くように表示可能とすることにより（図９〜１３参照）、カラオケを楽しむ雰囲気を盛り上げられるようにしたことを特徴にしている。さらに本実施形態は、このような歌詞テキストと共に、イコライザー表示又は背景画面の切替表示を組み合わせて、よりカラオケユーザーの気分を視覚的に盛り上げられるようにしている（図２４参照）。
【００４３】
なお、図１では、カラオケ端末装置３０として１台のみを示しているが、本実施形態に係るカラオケシステム１に含めることが可能なカラオケ端末装置３０は１台に限定されるものではなく、ネットワークＮＷを通じて接続される複数のカラオケ端末装置３０をカラオケシステム１に導入することが可能である。また、本発明の内容に直接的に関係しないので図１では図示を省略しているが、ユーザ登録及び登録したユーザの認証等に係る処理等を行うサーバ等もカラオケシステム１に含むことも可能である。以下、カラオケサーバ１０、カラオケサーバ１０に含まれる各種データベース、カラオケ端末装置３０等について順次説明する。
【００４４】
図２は、カラオケサーバ１０の主要な内部構成を示している。本実施形態のカラオケサーバ１０には一般的なサーバコンピュータを適用しており、全体的な制御及び各種処理を行うＭＰＵ１０ａに、各種デバイス等を内部接続線１０ｉで接続したものである。各種デバイス等には、通信モジュール１０ｂ、ＲＡＭ１０ｃ、ＲＯＭ１０ｄ、入力インタフェース１０ｅ、出力インタフェース１０ｆ、大容量記憶システム（ＨＤＤシステム）１０ｇ等がある。
【００４５】
通信モジュール１０ｂは、ネットワークＮＷとの接続モジュールに相当し、所要の通信規格に応じたものである（例えばＩＥＥＥ規格に応じたＬＡＮモジュール）。通信モジュール１０ｂは、所要の通信機器（図示は省略。例えばルータ等が該当）を介してネットワークＮＷと接続されており、カラオケ端末装置３０から送られてくるユーザの操作指示等を受け付けてＭＰＵ１０ａへ伝えると共に、ＭＰＵ１０ａの制御指示に基づき、カラオケ端末装置３０へ各種データ等（各種データベース、カラオケ楽曲のデータ、各種素材のデータ等のファイル）を送信する。
【００４６】
ＲＡＭ１０ｃは、ＭＰＵ１０ａの処理に伴う内容、ファイル等を一時的に記憶するものであり、ＲＯＭ１０ｄは、ＭＰＵ１０ａの基本的な処理内容を規定したプログラム等を記憶するものである。入力インタフェース１０ｅは、カラオケサーバ１０のオペレータからの操作指示等を受け付けるキーボード１１、マウス等が接続されるものであり、オペレータから受け付けた操作指示等をＭＰＵ１０ａへ伝える。出力インタフェース１０ｆは、ディスプレイ１２の出力装置が接続されるものであり、ＭＰＵ１０ａの処理に伴う内容をディスプレイ１２へ出力し、オペレータが現在の処理内容等を確認できるようにしている。
【００４７】
大容量記憶システム１０ｇは、カラオケサービスを提供するに当たり必要なデータを含む各種データベース及びプログラム等を記憶するものであり、具体的には、サーバプログラム１３、カラオケサービスプログラム１４、カラオケ楽曲ＤＢ２０、素材ＤＢ２１等を記憶している。
【００４８】
サーバプログラム１３は、サーバ用のオペレーションシステムに応じた処理を規定したものであり、この規定内容に基づいた処理をＭＰＵ１０ａが行うことで、カラオケサーバ１０は、サーバとしての機能を果たす。
【００４９】
カラオケサービスプログラム１４は、カラオケサービスを提供するために、ＭＰＵ１０ａが行う各種処理を規定したものであり、具体的には、カラオケ端末装置３０から送られてきた操作指示に応じて、ユーザが所望するカラオケ楽曲をカラオケ楽曲ＤＢ２０から検索する処理、ユーザが選択したカラオケ楽曲に応じた楽曲データ（楽曲データのファイル）及びカラオケ楽曲に係る各種内容を含むカラオケデータ（カラオケファイル）をカラオケ楽曲ＤＢ２０から抽出して送信する処理、素材ＤＢ２１等を送信する処理等を規定している。
【００５０】
図３（ａ）は、カラオケ楽曲ＤＢ２０の中身の概要を示している。カラオケ楽曲ＤＢ２０は、カラオケ楽曲を識別するための曲ＩＤごとに、複数のカラオケ楽曲の楽曲データ（楽曲データのファイル）に対応付けて、カラオケデータ（カラオケファイル）を格納したものになっている。
【００５１】
楽曲データとは、再生用データであり、この楽曲データがカラオケ端末装置３０で再生されることにより、カラオケ楽曲の再生音がカラオケ楽曲装置３０で出力される。なお、楽曲データとしては、ＭＩＤＩ形式のもの、または生音ベースのファイル形式のもの（例えば、ミドルウェアＡＤＸ２の圧縮データ形式のもの）等のいずれか一つの形式のものをシステム仕様に応じて用いることが可能である。
【００５２】
図３（ｂ）は、カラオケ楽曲ＤＢ２０において、曲ＩＤが２００００１の楽曲データに対応付けられたカラオケファイル２０１の中身となる構成の概要を示しており、このような中身の構成は、図３（ａ）に示すカラオケ楽曲ＤＢ２０に格納される他のカラオケ楽曲に対応付けられたカラオケファイル２０２〜２０ｎ等でも同じである。カラオケファイル２０１は、ＦＭＰフォーマットというフォーマット形式によって、１曲単位で１つのファイルにまとめられたものであり、このフォーマット形式に従ってヘッダ部２０１ａ、情報データ部２０１ｂ、歌詞データ部２０１ｃ、タイミングデータ部２０１ｄ、及びテキストデータ部２０１ｅを含んだものになっている。
【００５３】
カラオケファイル２０１のヘッダ部２０１ａは、カラオケ楽曲について設定される管理情報を有しており、ファイルを識別するためのファイルＩＤ、上述した各部２０１ｂ〜２０１ｅのファイルデータ中のアドレス（ファイル先頭からのオフセット値）等を含んだものになっている。
【００５４】
カラオケファイル２０１の情報データ部２０１ｂは、曲名、歌手名、作詞者名、作曲者名、歌いだし（歌いだしの歌詞のテキストデータ）、曲時間、及び属性情報等を有したものである。属性情報とは、各カラオケ楽曲のカテゴリ、イメージ、ジャンル、ムード等を示すテキストの情報であり、具体的には、「演歌人情」、「演歌自然」、「ハイテンション」、「懐メロ」、「自然」、「アニメ」、「ウインター」、「サマー」、「ダーク」等のキーワードが属性情報に該当する。
【００５５】
図４は、上述した情報データ部の中身のイメージ例として、カラオケ楽曲ＤＢ２０に格納されるカラオケファイル２０１〜２０８の情報データ部２０１ｂ〜２０８ｂについて示したものである。これらの情報データ部２０１ｂ〜２０８ｂは、図４で示すように、曲名、歌手名、属性情報、歌いだし、及び曲時間等を有している（図示していないが、作詞者名、作曲者名等も有する）。
【００５６】
カラオケファイル２０１の歌詞データ部２０１ｃは、カラオケファイル２０１が対応する曲ＩＤが２００００１のカラオケ楽曲の歌詞に応じたデータであり、従来の一般的な歌詞表示の際に使用される歌詞データを有している。従来の一般的な歌詞表示とは、画面中の所定箇所に一、二行程度で歌詞の文字を示すフォントが表示され、カラオケ楽曲の再生進行に合わせて、歌唱タイミングに応じた歌詞の文字の色等を変化させるものである。なお、本実施形態に係るカラオケシステム１は、カラオケ楽曲ＤＢ２０の中に格納されたカラオケファイル２０１に、歌詞データ部２０１ｃを有することで、従来の一般的な歌詞表示も行えるようにしている。
【００５７】
次に、カラオケファイル２０１に含まれるタイミングデータ部２０１ｄは、本実施形態に係るカラオケシステム１の特徴である歌詞テキストを動かして表示する機能に関連するものであり、「歌詞テキストの表示タイミング」、「歌詞テキストの動く時間」、「歌詞テキスト中の一文字の動く時間」、「（表示していた）歌詞テキストの消去タイミング」等を有すると共に、「背景画像切替タイミング」等も有したものになっている。
【００５８】
本実施形態では、後述する様々なタイポグラフィー素材（歌詞パターンに相当）を二種類に大別しており、一つめの種類は、あるフレーズに応じた歌詞部分に含まれるテキストが一文字ずつ徐々に（又は順次）画面上に表示されるタイプのものである（後述する図９、１１、１２に示すタイポグラフィー素材に応じたタイプ）。二つめの種類は、あるフレーズに応じた歌詞部分に含まれるテキストの全文字が一度に画面上に表示されるタイプのものである（後述する図１０、１３に示すタイポグラフィー素材に応じたタイプ）。そのため、タイミングデータ部２０１ｄは、カラオケファイル２０１の対応する曲ＩＤが２００００１のカラオケ楽曲の進行状況に合わせて、上述した一つめの種類に対応した表示タイミング（後述の表示タイミングＮｏ．１）と、二つめの種類に対応した表示タイミング（後述の表示タイミングＮｏ．２）の計２種類を有したものになっている。
【００５９】
図５（ａ）は、タイミングデータ部２０１ｄが含む計２種類の表示タイミングの中の上述した一つめの種類に応じた表示タイミングＮｏ．１であり、この表示タイミングＮｏ．１は、カラオケ楽曲の開始時（図中「０」で示す）から、カラオケ楽曲の終了時（図中「終」で示す）に至るまでの時間軸において、カラオケ楽曲を構成する所定期間（所定フレーズ等）ごとに応じた歌詞テキスト（全歌詞中のある歌詞部分に応じたテキスト）を表示するタイミングを「ｔ１−１」、「ｔ１−２」、「ｔ１−３」、「ｔ１−４」、・・・「ｔ１−ｎ」で規定するものになっている。なお、「ｔ１−１」、「ｔ１−２」、「ｔ１−３」等は、カラオケ楽曲の開始時からの時間を０．１秒単位で示すものである。
【００６０】
図５（ｂ）は、上述した二つめの種類に応じた表示タイミングＮｏ．２であり、この表示タイミングＮｏ．２も、上記の表示タイミングＮｏ．１と同様に、カラオケ楽曲を構成する所定期間ごとに応じた歌詞テキスト（全歌詞中のある歌詞部分に応じたテキスト）の全文字を表示するタイミングを「ｔ２−１」、「ｔ２−２」、「ｔ２−３」、「ｔ２−４」、・・・「ｔ２−ｎ」で規定するものになっている。なお、表示タイミングＮｏ．２は、一度に歌詞テキストの全文字を表示するものに応じたタイミングを規定することから、一文字ずつ歌詞テキストを表示するものに比べて遅い目の時間を規定している（「ｔ１−１」＜「ｔ２−１」、「ｔ１−２」＜「ｔ２−２」等の関係が成立）。
【００６１】
そして、タイミングデータ部２０１ｄは、図６に示す割当テーブル２１０を有しており、このテーブル２１０は、上述した二種類の表示タイミングＮｏ．１、Ｎｏ．２のそれぞれに対応付けられたタイポグラフィー素材を指定している。そのため、複数の中の一つのタイポグラフィー素材が決まると、この割当テーブル２１０が参照されることで、表示タイミングＮｏ．１、Ｎｏ．２のいずれが、その決まったタイポグラフィー素材に対して適用されるかを判断できるようになっている。
【００６２】
また、タイミングデータ部２０１ｄが含む「歌詞テキストの動く時間」とは、画面上に表示された歌詞テキストの動く時間（又は継続して表示される時間）を規定したものであり、表示された歌詞テキストが動いている時間、又は表示されたから消去されるまでの時間をミリ秒単位で規定している。なお、「歌詞テキストの動く時間」についての具体的な内容は、後述する図９、１０、１１等に示すタイポグラフィー素材の例において説明する。
【００６３】
そして、タイミングデータ部２０１ｄが含む「歌詞テキスト中の一文字の動く時間」とは、後述する図１２で示すタイポグラフィー素材のように、歌詞テキストを構成する各文字が、一文字単位で動くものに対して、各一文字が現れてから動いている時間をミリ秒単位で規定したものである。
【００６４】
さらに、図５（ｃ）、（ｄ）は、タイミングデータ部２０１ｄが有する計２種類の消去タイミングのイメージをタイムチャート的に時間軸で示したものである。図５（ｃ）の消去タイミングＮｏ．１は、上述した表示タイミングＮｏ．１に対応するものであり、図５（ｄ）の消去タイミングＮｏ．２は、上述した表示タイミングＮｏ．２に対応するものである。消去タイミングＮｏ．１、Ｎｏ．２は、表示されていた歌詞テキストを消去するタイミングを「Ｔ１−１」、「Ｔ１−２」、「Ｔ１−３」、「Ｔ１−４」、・・・「Ｔ１−ｎ」、及び「Ｔ２−１」、「Ｔ２−２」、「Ｔ２−３」、「Ｔ２−４」、・・・「Ｔ２−ｎ」で、０．１秒単位の時間によって規定している。
【００６５】
なお、表示タイミングＮｏ．１及び消去タイミングＮｏ．１は、それぞれが対となって歌詞テキストの表示及び消去を行うことになるので、０＜「ｔ１−１」＜「Ｔ１−１」＜「ｔ１−２」＜「Ｔ１−２」＜「ｔ１−３」＜「Ｔ１−３」＜「ｔ１−４」＜「Ｔ１−４」、・・・「ｔ１−ｎ」＜「Ｔ１−ｎ」という関係が成立する。同様に、表示タイミングＮｏ．２及び消去タイミングＮｏ．２においては、０＜「ｔ２−１」＜「Ｔ２−１」＜「ｔ２−２」＜「Ｔ２−２」＜「ｔ２−３」＜「Ｔ２−３」＜「ｔ２−４」＜「Ｔ２−４」、・・・「ｔ２−ｎ」＜「Ｔ２−ｎ」という関係が成立する。
【００６６】
図５（ｅ）は、タイミングデータ部２０１ｄが有する「背景画像切替タイミング」のイメージをタイムチャート的に時間軸で示したものである。背景画像とは、カラオケ再生時に歌詞等が表示されるカラオケ画面において、背景となる画像のことであり、本実施形態では、後述する図１４（ａ）に示すように、複数の動画像ファイルに基づく各動画を背景画像として、順次切り替えて表示するようにしており、この表示を切り替えるタイミング（背景画像切替タイミング）を、「ｔｔ１」、「ｔｔ２」・・・「ｔｔｎ」として、タイミングデータ部２０１ｄで規定する。なお、本実施形態の背景画像は、上述した歌詞テキストと異なり、一つの動画（一つの動画ファイルに応じた背景画像）を約１０秒〜３０秒程度表示してから切り替えるようにしているので、「ｔｔ１」、「ｔｔ２」・・・「ｔｔｎ」のそれぞれの前後する時間間隔は、約１０秒〜３０秒程度となるように設定されている。
【００６７】
最後に、カラオケファイル２０１が有する中でテキストデータ部２０１ｅについて説明する（図３（ｂ）参照）。テキストデータ部２０１ｅは、カラオケファイル２０１が対応する曲ＩＤが２００００１のカラオケ楽曲の歌詞に応じた歌詞テキストのデータであり、上述したタイミングデータ部２０１ｄが規定する各時間に合わせてカラオケ画面上でタイポグラフィー的に表示される際に用いられるものである（上述した歌詞データ部２０１ｃのデータとは別に準備されている）。
【００６８】
このテキストデータ部２０１ｅは内部に、一つのカラオケ楽曲の全歌詞について、画面に表示する単位ごとにまとめた歌詞テキストのデータを複数含んでおり、例えば、１つめの歌詞テキストのデータは、上述したタイミングデータ部２０１ｄで規定される「ｔ１−１」〜「Ｔ１−１」の間（又は「ｔ２−１」〜「Ｔ２−１」の間）で使われるものになっており、同様に、２つめ〜ｎ番目の歌詞テキストのデータも、上述したタイミングデータ部２００ｄで規定される「ｔ１−２」〜「Ｔ１−２」の間（又は「ｔ２−２」〜「Ｔ２−２」の間）、「ｔ１−３」〜「Ｔ１−３」の間（又は「ｔ２−３」〜「Ｔ２−３」の間）、「ｔ１−４」〜「Ｔ１−４」の間（又は「ｔ２−４」〜「Ｔ２−４」の間）・・・「ｔ１−ｎ」〜「Ｔ１−ｎ」の間（又は「ｔ２−ｎ」〜「Ｔ２−ｎ」の間）で使われるものになっている。また、テキストデータ部２０１ｅは、上述した歌詞テキストのデータによる文字が表示された場合の文字色も規定しており、基本的に文字色は白色にしているが、カラオケ楽曲がデュエット曲である場合、各デュエットパートごとに文字色を相異させており（例えば、デュエットの男性パートは白色、女性パートは灰色、男女パートは緑色、男男パートは黄色など）、同様にカラオケ楽曲がメドレー曲である場合も、メドレー部分ごとに文字色を相異させている（例えば、最初のメドレー曲部分は白色、次のメドレー曲部分は灰色など）。さらに、カラオケ楽曲が、歌詞以外に台詞を含む場合は、台詞テキストの文字色も相違させている（例えば、歌詞テキストを白色、台詞テキストを灰色など）。
【００６９】
なお、上述した内容は、曲ＩＤが２００００１に対応するカラオケファイル２０１に係る説明であるが、他の曲ＩＤに対応するカラオケファイル２０２、２０３・・・２０ｎ（図３（ａ）参照）も上記と同様の構成になっており、その構成において、例えばタイミングデータ部で規定される各タイミング及び各時間が、それぞれの曲ＩＤに応じたカラオケ楽曲の再生進行に合わせて設定されたものになっている。
【００７０】
次に、図２のカラオケサーバ１０に示す大容量記憶システム１０ｇに記憶される素材ＤＢ２１について説明する。素材ＤＢ２１は、カラオケ画面を構成する各素材レイヤーの設定対象となる素材（素材データ）を格納したデータベースである。本実施形態では計４種類の素材レイヤーを重ね合わせてカラオケ画面用の合成画像を編集作成するようにしており、４種類の素材レイヤーとしては、パーティクルレイヤー、タイポグラフィーレイヤー、イコライザーレイヤー（イコライザー用のレイヤー）及びムービーレイヤー（背景画像用のレイヤー）がある（図２２（ａ）参照）。
【００７１】
まず、パーティクルレイヤーとは模様のような画像を表した素材が設定されるものである。次に、タイポグラフィーレイヤーとは、本発明の特徴となるタイポグラフィー的に表示される歌詞テキストデータ（上述したカラオケファイルのテキストデータ部に含まれるテキストのデータ）による歌詞テキストが設定されるものである。さらに、イコライザーレイヤーとはカラオケ楽曲の再生による音量等を再生進行に応じて周波数別の棒グラフ状のイコライザーで示す素材が設定されるものである。最後に、ムービーレイヤーとは動画的な背景画像となる素材が設定されるものである。
【００７２】
本実施形態の素材ＤＢ２１は、上述した各種素材レイヤーごとの素材を格納したデータベースの集合体となっており、具体的には図７（ａ）〜図７（ｅ）に示すパーティクル素材ＤＢ２１ａ、タイポグラフィー素材ＤＢ２１ｂ（歌詞パターンデータベースに相当）、イコライザー素材ＤＢ２１ｃ（イコライザーパターンデータベースに相当）、ムービー画像素材ＤＢ２１ｄ（背景画像データベースに相当）及びムービー映像素材ＤＢ２１ｅという計５種類のデータベースで構成されている。なお、ムービーレイヤー用のムービー画像素材ＤＢ２１ｄ及びムービー映像素材ＤＢ２１ｅの両者は合わせて第１データベースに相当する。
【００７３】
図７（ａ）は、パーティクル素材ＤＢ２１ａの中身を示しており、素材名ごとに、素材データ、サムネイルデータ、説明情報及び属性情報を対応づけたものになっている。素材データとは、実際に合成画像を表示する際に使用されるファイル（データ）を意味する。サムネイルデータとは、後述する編集画面５０の中のサムネイル表示で使用されるサムネイル画像用のファイル（データ）を意味する。説明情報とは、素材の内容を説明する情報であり、後述する編集画面５０の中のサムネイル表示で選択状態になった場合に使用されるテキストデータである。また、属性情報とは、その素材に合ったキーワードを示す情報であり、本実施形態では、上述した図４の情報データ部２０１ｂ〜２０８ｂ等に含まれる属性情報と同様のキーワードである「演歌人情」、「演歌自然」、「ハイテンション」、「懐メロ」、「自然」、「アニメ」、「ウインター」、「サマー」、「ダーク」等のテキスト情報を用いて、カラオケ楽曲ＤＢ２０に含まれるカラオケ楽曲との対応付けができるようにしている。
【００７４】
パーティクル素材ＤＢ２１ａに格納されるパーティクル素材の素材名には、「桜そよ風」、「星間ワープ」及び「雪」等がある。素材名が「桜そよ風」である説明情報は、「桜の花びらがそよ風になびいて舞い落ちる姿をイメージしたパーティクル。そよ風になびく動きをつけることで、様々な楽曲をさりげなくドラマチックに演出することができる。季節感を意識してしまいがちだが、女性の楽曲は雅に、男性の楽曲は色気を帯びさせる効果があり、オールラウンドに様々な楽曲に調和する。」というものである。
【００７５】
また、素材名が「星間ワープ」である説明情報は、「現実世界から未知の世界へといざなうかのような、ワープ空間をイメージしたパーティクル。小さいころ夢見たＳＦ世界をドラマチックに再現し、好奇心を駆り立てる。自らも移動しているかのようなワクワクするデザインは、スピード感のあるアップテンポの楽曲に調和する。」というものである。素材名が「雪」である説明情報は、「様々な速さで舞い落ちる雪をイメージ。深々と降り続く雪を見上げるデザインは、その先に更に空間が広がっているような錯覚さえ覚える。しっとりとした雰囲気で曲に陶酔したい、そんな貴方にぴったりなパーティクル。」というものである。パーティクル素材ＤＢ２１ｃに格納される素材データ（素材データファイル）は、上述した各説明情報に応じたパーティクル素材を画面上に表示するためのデータ内容になっている。
【００７６】
図８（ａ）に示す左端の図は、上述したパーティクル素材ＤＢ２１ａの中の「桜そよ風」の素材データ（サムネイルデータ）が表示された場合の一例を示すイメージであり、図８（ａ）の中央の図は、「星間ワープ」の素材データ（サムネイルデータ）が表示された場合の一例を示すイメージであり、図８（ａ）の右端の図は、「雪」の素材データ（サムネイルデータ）が表示された場合の一例を示すイメージである。なお、パーティクル素材ＤＢ２１ａには、上記以外にも「花火」、「雨」、「紙吹雪」及び「落ち葉」等という素材名の素材が格納されている。
【００７７】
次に、図７（ｂ）は、タイポグラフィー素材ＤＢ２１ｂの中身を示しており、上述したパーティクル素材ＤＢ２１ａと同様に、素材名ごとに、素材データ、サムネイルデータ、説明情報及び属性情報（属性情報の中身には、パーティクル素材ＤＢ２１ａの場合と同じテキスト情報を使用）というタイポグラフィー素材を対応付けたものになっている。このタイポグラフィー素材ＤＢ２１ｂに格納される各タイポグラフィー素材の中の素材データが、カラオケ楽曲の歌詞テキストの表示の仕方（動き方）を規定している。なお、本発明における「動き方」という文言の意味には、動くという意味合い以外に、歌詞テキストが画面に現れ出る形態（現れ方）、歌詞テキストが画面から消え入る形態（消え方）も含んだものになっている。
【００７８】
タイポグラフィー素材ＤＢ２１ｂには、複数種類のタイポグラフィー素材が格納されており、図７（ｂ）はその一部を示したものにすぎず、格納されるタイポグラフィー素材には、素材名として、「ライトフレームイン」、「アッパーフレームイン」、「スライディング」、「ランダムフェードイン」、「ポヨンポヨン」、「シネマパンチイン」、「バウンドライン」、「サンドイッチライン」、「スクリュー」、「ウォータードロップ」、「スライドインライト」、「バブルアップ」、「レインダウン」、「バウンドエンドロール」、「ロングスロー」、「ウォールプリント」、「フライサークル」及び「エピソード」等がある。
【００７９】
素材名が「ライトフレームイン」であるタイポグラフィー素材は、説明情報として「水平方向の動きを基調とするタイポグラフィー。安定感がありながら、スピード感を同時に表現できる。様々なリズムの楽曲との相性がよく、歌唱するタイミングにもなじみやすいのが特徴。視認性が高く、歌詞を十分に追えることと、スタイリッシュさを兼ね備えた、オールラウンドタイポグラフィー。」という中身になっている。
【００８０】
図９（ａ）〜（ｄ）は、「ライトフレームイン」という素材名のタイポグラフィー素材の素材データが規定する歌詞テキストの動かし方のイメージを示したものである。素材データは、水平方向をＸ座標、垂直方向をＹ座標として、表示用の画面（例えば、図１５に示す表示装置３３の画面３３ａ）の左上を原点座標（０、０）にすると共に、Ｘ座標においては図中の右方向へ向かってプラス、Ｙ座標においては図中の下方向に向かってプラスとした座標系で位置を規定するようにしており（他のタイポグラフィー素材でも同様）、この座標系に基づいて、座標値を段階的に指定することで、歌詞テキストを意図した箇所に配置、及び動かせるようにしている。なお、図９〜１３に示す実施例は、画面３３ａの左上の座標値を（０、０）、右上座標値を（７２０、０）、左下座標値を（０、４８０）、右下座標値を（７２０、４８０）にした場合であるが、このような座標値に限定されるものではなく、カラオケシステムの仕様に応じて、適宜、座標値は様々な値を適用できる。
【００８１】
図９（ａ）〜（ｄ）は、カラオケ楽曲の歌詞中の最初のフレーズ期間に応じた歌詞部分として「ここでお別れ」という歌詞テキスト（以下、図１０〜１３でも同様）の動き方（流れるような動き方）を示す。まず、図９（ａ）は、歌詞テキストの表示の開始直後の状態を示しており、丁度、図５（ａ）の表示タイミングＮｏ．１の「ｔ１−１」の直後の状態に対応したものになっており、歌詞テキストの最初の文字である「こ」だけが、画面３３ａの右中央に現れている。なお、図９（ａ）中に示す「波線の矢印」は、動く方向（又は動いている状態）を示す説明のために図示しているものであり、実際に表示されるものではない（図１０〜１３でも同様）。
【００８２】
図９（ｂ）は、図９（ａ）の状態から時間が経過して、「ここでお別れ」という歌詞部分における「ここで」の途中までが表示された状態を示している。そして、図９（ｃ）は、図９（ｂ）の状態から時間が経過して、「ここでお別れ」という歌詞部分全体が表示されて、画面３３ａの中央で一旦停止した状態を示している。このように、歌詞部分の表示が開始されて、図９（ｃ）に示すように動きが一旦停止されるまでの時間（歌詞テキストが現れ出て停止するまでの時間）が、上述したタイミングデータ部２０１ｄが含む「歌詞テキストの動く時間」として規定されている。
【００８３】
図９（ｄ）は、図９（ｃ）の状態から時間が経過して、一旦停止した動きを再開して、「ここでお別れ」という歌詞部分が図中の左方向へ流れ出して、「別れ」という文字だけが画面３３ａに残った状態をしている。この状態から、更に時間が経過すると、図９（ｄ）で残っていた「別れ」の文字も消去されることになり、その消去される時間が、図５（ｃ）の消去タイミングＮｏ．１の「Ｔ１−１」に該当することになる。また、画面中央の一旦停止した状態から、動きを再開して、画面左中央へ消去されるまでの時間も、上述したタイミングデータ部２０１ｄが含む「歌詞テキストの動く時間」の中で規定されているものとする。
【００８４】
よって、「ライトフレームイン」という素材名のタイポグラフィー素材は、その素材データにおいて、図９（ａ）〜（ｄ）に示すように、画面右中央から歌詞テキストを現し、その後、画面中央へ移動させてから一旦停止させ、それから画面左側への移動を再開して、画面左中央へ消去していくという動き方を規定したものになっている。なお、最初に歌詞テキストが現れる画面右中央の位置、歌詞テキストが一旦停止する画面中央の位置、歌詞テキストが消去していく画面左中央の位置等について、素材データは、上述した座標系の座標値で特定している。そして「ライトフレームイン」という素材名のタイポグラフィー素材は、上述したような歌詞テキストの動き方を規定することで、上述の説明情報に記されたように、「安定感がありながら、スピード感を同時に表現でき、様々なリズムの楽曲との相性がよく、歌唱するタイミングにもなじみやすく、視認性が高く、歌詞を十分に追えることと、スタイリッシュさを兼ね備えた」という特徴を備えたタイポグラフィー的な歌詞表示を行えるようにしている。
【００８５】
素材名が「アッパーフレームイン」であるタイポグラフィー素材は、説明情報として、「拳を突き上げるように、下から上に向かってフレームインしてくるのが特徴で、どのような曲調であっても、気持ちを高ぶらせてくれる。視認性よりスタイリッシュさやスピード感を重視しており、ある程度熟知している楽曲を、力強く歌い上げる場合に適している。サブリミナル的に数秒動きを遅くすることで、歌詞の意味を刷り込む力がある。」という中身になっている。
【００８６】
図１０（ａ）〜（ｄ）は、「アッパーフレームイン」という素材名のタイポグラフィー素材の素材データが規定する歌詞テキストの動かし方のイメージを示したものである。図１０（ａ）は、歌詞テキストの表示の開始直後の状態を示しており、丁度、図５（ｂ）の表示タイミングＮｏ．２の「ｔ２−１」の直後の状態に対応したものになっており、「ここでお別れ」という歌詞テキストが、画面下方より現れ出た状態になっている。
【００８７】
図１０（ｂ）は、図１０（ａ）の状態から時間が経過して、「ここでお別れ」という歌詞テキストが完全に表示された状態を示している。そして、図１０（ｃ）は、図１０（ｂ）の状態から時間が経過して、「ここでお別れ」という歌詞テキストが中央より上方にまで移動した状態を示している。
【００８８】
そして、図１０（ｄ）は、図１０（ｃ）の状態から時間が経過して、画面上方へ「ここでお別れ」という歌詞部分が消去しかかっている状態をしている。この状態から、更に時間が経過すると、図１０（ｄ）で残っていた「ここでお別れ」の文字全体が消去されることになり、その消去される時間が、図５（ｄ）の消去タイミングＮｏ．２の「Ｔ２−１」に該当することになる。また、画面下方から上方へ流れるように動く時間が、上述したタイミングデータ部２０１ｄが有する「歌詞テキストの動く時間」として規定される。
【００８９】
よって、「アッパーフレームイン」という素材名のタイポグラフィー素材は、その素材データにおいて、図１０（ａ）〜（ｄ）に示すように、画面下方から上方へ歌詞テキストが移動するという動き方を規定したものになっている。そして「アッパーフレームイン」のタイポグラフィー素材は、その素材データで上述したような歌詞テキストの動き方を規定することにより、上述の説明情報で記されたように、「どのような曲調であっても、気持ちを高ぶらせることが可能であり、視認性よりスタイリッシュさやスピード感を重視しており、ある程度熟知している楽曲を、力強く歌い上げる場合に適する」という特徴を備えたタイポグラフィー的な歌詞表示を行えるようにしている。
【００９０】
素材名が「スライディング」であるタイポグラフィー素材は、説明情報として、「左下がりの角度がついたラインに、スライディングしてくるタイポグラフィー。中央に表示される映像を邪魔することが無いのが特徴で、熟知している楽曲を、映像重視で歌い上げる場合に適している。しかしながら、登場するテキストは存在感があり、遠慮がちに歌詞が表示されるというわけではない。スピード感をもったスタイリッシュな映像にステージを仕上げてくれるタイポグラフィー。」という中身になっている。
【００９１】
図１１（ａ）〜（ｄ）は、「スライディング」という素材名のタイポグラフィー素材の素材データが規定する歌詞テキストの動かし方のイメージを示したものである。図１１（ａ）は、歌詞テキストの表示の開始直後の状態を示しており、丁度、図５（ａ）の表示タイミングＮｏ．１の「ｔ１−１」の直後の状態に対応したものになっており、「ここでお別れ」という歌詞テキストの中の「こ」の文字だけが、画面右上より現れ出た状態になっている。
【００９２】
図１１（ｂ）は、図１１（ａ）の状態から時間が経過して、「ここでお別れ」という歌詞テキストの中の「ここで」までが、画面右上から左下へ至る左下がりの線の（略対角線）上に表示された状態を示している。そして、図１１（ｃ）は、図１１（ｂ）の状態から時間が経過して、「ここでお別れ」という歌詞テキスト全体が現れて、画面中央付近まで移動した状態を示している。
【００９３】
そして、図１１（ｄ）は、図１１（ｃ）の状態から時間が経過して、画面左下へ移動して、「ここでお別れ」という歌詞テキストの中の「別れ」の部分が残った状態をしている。この状態から、更に時間が経過すると、図１１（ｄ）で残っていた「別れ」の文字も消去されることになり、その消去される時間が、図５（ｃ）の消去タイミングＮｏ．１の「Ｔ１−１」に該当することになる。また、画面右上から左下へ流れるように動く時間が、上述したタイミングデータ部２０１ｄが有する「歌詞テキストの動く時間」として規定される。
【００９４】
よって、「スライディング」という素材名のタイポグラフィー素材は、その素材データにおいて、図１１（ａ）〜（ｄ）に示すように、画面右上から左下へ歌詞テキストが流れるように移動するという動き方を規定したものになっている。そして「スライディング」のタイポグラフィー素材は、その素材データで上述したような歌詞テキストの動き方を規定することにより、上述の説明情報で記されたように、「中央に表示される映像を邪魔することが無く、熟知している楽曲を映像重視で歌い上げる場合に適しており、登場するテキストは存在感があり、遠慮がちに歌詞が表示されるというわけではなく、スピード感をもったスタイリッシュな映像にステージを仕上げる」という特徴を備えたタイポグラフィー的な歌詞表示を行えるようにしている。
【００９５】
素材名が「ランダムフェードイン」であるタイポグラフィー素材は、説明情報として、「歌詞の位置や大きさがランダムで登場し、にじんで消えるタイポグラフィー。歌詞にインパクトを強く与えるが、楽曲の世界観も損なうことなく、ドラマチックにリズムを与えてくれる。表示される場所が特定できないことにより、何かを追いかけるような心理的効果があり、切なさや寂しさを強調する。」という中身になっている。そのため、このタイポグラフィー素材は、その素材データにおいて、上記の説明情報で示すように、歌詞テキストの位置を座標系でランダムに規定し、それらが、にじんで消えるというような歌詞テキストの動き方を規定したものになっている。
【００９６】
素材名が「ポヨンポヨン」であるタイポグラフィー素材は、説明情報として、「ポヨンポヨンという表現がぴったりとくるタイポグラフィー。明るく可愛く画面を盛り上げてくれる。文字のバウンドする速度には細心の注意を払っており、視認性の確保と跳ねるようなウキウキした印象を両立させている。子供向けアニメのリズムを彷彿とさせるが、様々な楽曲に遊び心をもって当てはめて楽しむこともできる。」という中身を有している。そのため、このタイポグラフィー素材は、その素材データにおいて、上記の説明情報で示すように、歌詞テキストが画面上方からから下方へ動くと共に、画面下辺でポヨンと跳ねるような歌詞テキストの動き方を規定したものになっている。
【００９７】
素材名が「シネマパンチイン」であるタイポグラフィー素材は、説明情報として、「映画のタイトル表記などに見られる演出で、一気に表示テキストに注目を集めることができる。メッセージ性の高い曲などはよりドラマチックになり、歌詞に力を与える。力強い曲との相性が良く、静かな曲調のものはやや騒がしくなる。」という中身を有している。そのため、このタイポグラフィー素材は、その素材データにおいて、上記の説明情報で示すように、映画のタイトル表記のように一気に画面上へ表示するような歌詞テキストの現れた方を規定したものになっている。
【００９８】
素材名が「バウンドライン」であるタイポグラフィー素材は、説明情報として、「上から落ちてくる歌詞が、中央付近のラインでバウンドして止まるタイポグラフィー。コミカルなバウンドにより、ポップな楽曲を可愛く演出する。子供っぽくさせる効果はあるが、ある程度落ち着いたバウンド幅にすることで、キュートという響きに近い演出になるよう調整した。」という中身を有している。そのため、このタイポグラフィー素材は、その素材データにおいて、上記の説明情報で示すように、歌詞テキストが画面上方から落ちてきて、画面中央付近のラインでバウンドして止まるような歌詞テキストの動き方を規定したものになっている。
【００９９】
素材名が「サンドイッチライン」であるタイポグラフィー素材は、説明情報として、「上下から中央のラインを挟み込むように登場するタイポグラフィー。工場のベルトコンベア上で作業するマシーンのように登場するため、秩序と堅さが表現される。上下から挟み込まれ、そして上下に歌詞が開放されるときに次へと進む力が込められる。表現形態以上にメッセージを力強くする性質がある。という中身を有している。そのため、このタイポグラフィー素材は、その素材データにおいて、上記の説明情報で示すように、上下の中央のラインを挟み込むように、歌詞テキストの各文字が画面上方及び下方から中央のラインへそれぞれ向かうような歌詞テキストの動き方を規定したものになっている。
【０１００】
素材名が「スクリュー」であるタイポグラフィー素材は、説明情報として、「中央に向かって、渦に吸い込まれるように登場する演出が特徴。インパクトが強い中にも、柔らかさがあるのが特徴。歌詞が消える時の柔らかいフェードアウトにこだわり、男性曲、女性曲、どちらにでも相性がよく、迷いや淡い心を歌い上げる演出に適している。」という中身を有している。そのため、このタイポグラフィー素材は、その素材データにおいて、上記の説明情報で示すように、画面中央に向かって歌詞テキストが渦に吸い込まれるような動き方を規定したものになっている。
【０１０１】
素材名が「ウォータードロップ」であるタイポグラフィー素材は、説明情報として、「歌詞が水槽の中に落ちたように沈んでいくタイポグラフィー。水をイメージさせる動きにより、涼しい爽やかさを演出する。」という中身を有している。そのため、このタイポグラフィー素材は、その素材データにおいて、上記の説明情報で示すように、画面上方から下方へ歌詞テキストが落ちて沈んでいくような動き方を規定したものになっている。
【０１０２】
素材名が「スライドインライト」であるタイポグラフィー素材は、説明情報として、「右からスピーディーにスライドインし、中央でふわりと消えていく演出が特徴。スタンダードで安定感のある水平方向の動きだが、ふわりとフェードアウトする歌詞は、スピード感に加え、繊細さを表現してくれる。あらゆる楽曲に繊細さを、プラスアルファしたい楽曲と相性がよい。」という中身を有している。そのため、このタイポグラフィー素材は、その素材データにおいて、上記の説明情報で示すように、画面右より中央へ移動して中央で消えていくような歌詞テキストの動き方を規定したものになっている。
【０１０３】
素材名が「バブルアップ」であるタイポグラフィー素材は、説明情報として、「泡が水面に浮かび上がるように、下から上に加速していく動きが特徴。下部に表示されてから、加速して歌詞が上方に浮き上がっていくのを目で追っていると、自然と気持ちがウキウキしてくる。視認性は印象とは異なり非常によい。また、アップテンポな曲調との相性がよい。」という中身を有している。このタイポグラフィー素材は、その素材データにおいて、上記の説明情報で示すように、画面下方より上方へ向けて、加速するように移動する歌詞テキストの動き方を規定したものになっている。
【０１０４】
素材名が「レインダウン」であるタイポグラフィー素材は、説明情報として、「雨のしずくのように次々に上から下に向かって、よどむことなく歌詞が流れていくのが特徴。視認性は極めて悪い部類に入るが、むしろこの演出の中で歌いこなせることがある種の技とも言える。進んでいく歌と、読み取れる歌詞のずれが不思議な心地よさを演出する。」という中身を有している。
【０１０５】
図１２（ａ）〜（ｄ）は、「レインダウン」という素材名のタイポグラフィー素材の素材データが規定する歌詞テキストの動かし方のイメージを示したものである。図１２（ａ）は、歌詞テキストの表示の開始直後の状態を示しており、丁度、図５（ａ）の表示タイミングＮｏ．１の「ｔ１−１」の直後の状態に対応したものになっており、「ここでお別れ」という歌詞テキストの中の最初の「こ」の文字だけが、画面上より現れ出た状態になっている。
【０１０６】
図１２（ｂ）は、図１２（ａ）の状態から時間が経過して、最初の「こ」の文字が画面下まで移動すると共に、次の「こ」の文字が画面上より現れ出た状態になっている。図１２（ｃ）は、図１２（ｂ）の状態から時間が経過して、次の「こ」の文字が画面下まで移動すると共に、「で」の文字が画面上より現れ出た状態になっている。そして、図１２（ｄ）は、上述したような文字の動き方を経て、歌詞テキストの全て（「ここでお別れ」）が画面下に出そろった状態を示している。この図１２（ｄ）に示す状態から、更に時間が経過すると、歌詞テキストの全てが画面下方へ消去されることになり、その消去される時間が、図５（ｃ）の消去タイミングＮｏ．１の「Ｔ１−１」に該当することになる。また、上述したように、一つの文字が画面上から下へ流れるように動く時間は、上述したタイミングデータ部２０１ｄが有する「歌詞テキスト中の一文字を動く時間」で規定されている。
【０１０７】
よって、「レインダウン」という素材名のタイポグラフィー素材は、その素材データにおいて、図１２（ａ）〜（ｄ）に示すように、画面上から下へ歌詞テキストが一文字ずつ流れる落ちるように移動するという動き方を規定したものになっている。そして、このタイポグラフィー素材は、上述したような歌詞テキストの動き方を規定することで、上述の説明情報で記されたように、「視認性は極めて悪い部類に入るが、むしろこの演出の中で歌いこなせることがある種の技とも言ううことができ、進んでいく歌と、読み取れる歌詞のずれが不思議な心地よさを演出する」という特徴を備えたタイポグラフィー的な歌詞表示を実現している。
【０１０８】
素材名が「バウンドエンドロール」であるタイポグラフィー素材は、説明情報として、「映画のエンドロールのような、下から上に向かうラインを取りながら、奇妙にバウンドする演出が特徴。バラードやハードロックなどシリアスな楽曲との相性はあまりよくないが、子供向けのアニメソングなどとは親和性が高く、飽きさせない。」という中身を有している。このタイポグラフィー素材は、その素材データにおいて、上記の説明情報で示すように、画面下から上方へ向けて動きながらバウンドするように移動する歌詞テキストの動き方を規定したものになっている。
【０１０９】
素材名が「ロングスロー」であるタイポグラフィー素材は、説明情報として、「拾い上げた枝を、遠くに放り投げるような、有機的な動きが特徴。画面全体に放り投げられる歌詞を、つい目で追ってしまいたくなる。回転して飛んでいく印象が、見る人に開放感を与える。遠くの歌詞も視認できることが、歌のメッセージを長く心にとどめる新しい楽しさがある。」という中身を有している。このタイポグラフィー素材は、その素材データにおいて、上記の説明情報で示すように、画面上を放物線的な移動を行う歌詞テキストの動き方を規定したものになっている。
【０１１０】
素材名が「ウォールプリント」であるタイポグラフィー素材は、説明情報として、「ストリートの壁面に歌詞が書き込まれているようなスタイリッシュな演出。視認性とデザイン性を両立させた立体的な表示は、都会的な雰囲気をかもし出す。スロー・アップ、どちらのテンポでも相性がいいのが特徴。」という中身を有している。このタイポグラフィー素材は、その素材データにおいて、上記の説明情報で示すように、徐々に歌詞テキストが一文字ずつ現れ出るような歌詞テキストの動き方を規定したものになっている。
【０１１１】
素材名が「フライサークル」であるタイポグラフィー素材は、説明情報として、「立体的な空中に浮遊する円盤状の壁面に沿って表示されるタイポグラフィー。大きく弧を描いて迫ってくる歌詞は、空を見上げているような錯覚に見る人を引き込んでいく。空を流れていく雲を目で追いかけるように、ぼーっと眺めるような感覚にさせる楽しさがある。」という中身を有している。このタイポグラフィー素材は、その素材データにおいて、上記の説明情報で示すように、大きな円弧上を流れるような歌詞テキストの動き方を規定したものになっている。
【０１１２】
素材名が「エピソード」であるタイポグラフィー素材は、説明情報として、「まるで映画のオープニングのエピソードが語られるかのようなタイポグラフィー。手前から奥にむかって歌詞が運ばれていくのが特徴。多くの歌詞を視認できるのが最大の特徴で、楽曲を俯瞰してみているような、ドラマチックなムードを作ってくれる楽しさがある。」という中身を有している。
【０１１３】
図１３（ａ）〜（ｄ）は、「エピソード」という素材名のタイポグラフィー素材の素材データが規定する歌詞テキストの動かし方のイメージを示したものである。図１３（ａ）は、歌詞テキストの表示の開始直後の状態を示しており、丁度、図５（ｂ）の表示タイミングＮｏ．２の「ｔ２−１」の直後の状態に対応したものになっており、「ここでお別れ」という歌詞テキストの全てが大きい文字で、画面下となる手前に現れ出た状態になっている。
【０１１４】
図１３（ｂ）は、図１３（ａ）の状態から時間が経過して、「ここでお別れ」という歌詞テキストの全てを少し小さくすると共に、少し上方へ移動させた状態となっており、それにより、歌詞テキストが画面奥へ進んだようなイメージを出している。図１３（ｃ）は、図１３（ｂ）の状態から時間が経過して、「ここでお別れ」という歌詞テキストの全てを更に少し小さくすると共に、更に少し上方へ移動させた状態となっており、それにより、歌詞テキストが画面奥へ更に進んだようなイメージを出している。
【０１１５】
そして、図１３（ｄ）は、図１３（ｃ）の状態から時間が経過して、「ここでお別れ」という歌詞テキストの全てを一段と小さくすると共に、より上方へ移動させた状態となっており、それにより、歌詞テキストが画面奥へ最も進んだようなイメージを出している。この図１３（ｄ）に示す状態から、更に時間が経過すると、歌詞テキストの全てが画面上方へと消去されることになり、その消去される時間が、図５（ｄ）の消去タイミングＮｏ．２の「Ｔ２−１」に該当することになる。なお、上述したように、歌詞テキストの全てが画面下から上へ（画面奥へ）流れるように動く時間は、上述したタイミングデータ部２０１ｄが有する「歌詞テキストの動く時間」で規定される。
【０１１６】
よって、「エピソード」という素材名のタイポグラフィー素材は、その素材データにおいて、図１３（ａ）〜（ｄ）に示すように、画面手前から奥へ歌詞テキストが進んでいく動き方を規定したものになっている。そして、このタイポグラフィー素材は、上述したような歌詞テキストの動き方を規定することで、上述の説明情報で記されたように、「多くの歌詞を視認できるのが最大の特徴であり、楽曲を俯瞰してみているような、ドラマチックなムードを作ってくれる楽しさがある」という特徴を備えたタイポグラフィー的な歌詞表示を実現している。
【０１１７】
次に、図７（ｃ）に示すイコライザー素材ＤＢ２１ｃの説明に戻る。図７（ｃ）は、イコライザー素材ＤＢ２１ｃの中身を示しており、上述したパーティクル素材ＤＢ２１ａ及びタイポグラフィー素材ＤＢ２１ｂと同様に、素材名ごとに、素材データ（イコライザーパターンに相当）、サムネイルデータ、説明情報及び属性情報（属性情報の中身には、パーティクル素材ＤＢ２１ａの場合と同じテキスト情報を使用）を対応付けたものになっている。
【０１１８】
本実施形態のイコライザー素材ＤＢ２１ｃに格納される素材の素材名には、「スタンダード」、「ナロー」、「３Ｄ−Ａ」、「ウェーブ」、「ボール」、「サークル」、「サンライズ」、「インナーサークル」、「プレート」及び「チューブ」等がある。
【０１１９】
素材名が「スタンダード」である説明情報は、「オーソドックスなタイプ。シンプルな動きで基本的なイコライザー。」というものである。素材名が「ナロー」である説明情報は、「細いタイプ。細く繊細な動きを付加することで他のレイヤーとの絡み方をダイナミックな展開に仕立てることが可能。」というものである。
【０１２０】
素材名が「３Ｄ−Ａ」である説明情報は、「イコライザー全体が空間に浮いている。オリジナルイコライザータイプ。」というものである。素材名が「ウェーブ」である説明情報は、「イコライザー全体が波打って浮いている。オリジナルイコライザータイプ。波打つ動きに独特のグルーヴを視覚から感じることができる。」というものである。
【０１２１】
素材名が「ボール」である説明情報は、「大きな球面に張り付いている。球面に張り付いたような側面でのイコライザーの動きに独自のユニークなエフェクトを付加。」というものである。素材名が「サークル」である説明情報は、「イコライザーが一回りして円状になっている。サークルタイプのイコライザー。フレームとしての効果も期待できるオリジナルタイプ。」というものである。
【０１２２】
素材名が「サンライズ」である説明情報は、「イコライザーが弧を描いている。オリジナルイコライザータイプ。独特のスペクトラムは心地のいい弧を描く。」というものである。素材名が「インナーサークル」である説明情報は、「イコライザーが円の内側へ伸びる。サークルタイプのイコライザー。内側への動きはパーティクルとの相乗効果で、よりきらびやかな演出が期待できる。」というものである。
【０１２３】
素材名が「プレート」である説明情報は、「イコライザーが板に張り付いている。奥行き感のある演出によって他の素材とのレイヤー効果を引き立たせる。」というものである。素材名が「チューブ」である説明情報は、「円柱の中にイコライザーが入っている。上下運動がより強調された円柱タイプのオリジナルイコライザー。」というものである。
【０１２４】
イコライザー素材ＤＢ２１ｃは、上述した各説明情報の中身に応じたイコライザーを画面上に表示するための素材データのファイルをそれぞれ有しており、それらの素材データは、イコライザーの色を輝度の高い青色に規定している。
【０１２５】
図８（ｂ）に示す左端の図は、上述したイコライザー素材ＤＢ２１ｃの中の「スタンダード」の素材データ（サムネイルデータ）が表示された場合の一例を示すイメージ（素材データの表示処理の一例）であり、図８（ｂ）の中央の図は、「ナロー」の素材データ（サムネイルデータ）が表示された場合の一例を示すイメージであり、図８（ｂ）の右端の図は、「３Ｄ−Ａ」の素材データ（サムネイルデータ）が表示された場合の一例を示すイメージである。
【０１２６】
また、図７（ｄ）のムービー画像素材ＤＢ２１ｄ及び図７（ｅ）のムービー映像素材ＤＢ２１ｅは、ムービーレイヤーの設定対象となる素材（背景画像の素材）を複数種類格納したデータベースである。ムービー画像素材ＤＢ２１ｄは上述したパーティクル素材ＤＢ２１ａと同様に、素材名ごとに、素材データ（背景画像データに相当）、サムネイルデータ、説明情報及び属性情報（属性情報の中身には、パーティクル素材ＤＢ２１ａの場合と同じテキスト情報を使用）を対応付けたものになっている。また、ムービー映像素材ＤＢ２１ｅは、素材名ごとに、素材データ、サムネイルデータ、説明情報及び属性情報（属性情報の中身には、パーティクル素材ＤＢ２１ａの場合と同じテキスト情報を使用）を対応付けたものになっている。ムービー画像素材ＤＢ２１ｄの素材データと、ムービー映像素材ＤＢ２１ｅの素材データとでは、両者はムービーとしての中身が異なったものになっている。
【０１２７】
図１４（ａ）は、ムービー画像素材ＤＢ２１ｄに格納される素材データの構成を概要的に示したものであり、この素材データは、複数の動画像ファイルの集合体（複数の背景画像を含んだ集合体）になっており、カラオケ楽曲の再生の際、これら複数の動画像ファイルによる各背景画像は所定の順序で、切替表示されると共に、そのような再生が繰り返されるようになっている。複数の中の各背景画像の表示が切り替えられる時期は、上述したように、タイミングデータ部２０１ｄが含む「背景画像切替タイミング」の時間で規定されている（図５（ｅ）参照）。なお、各動画ファイルの表示を繰り返す回数は、再生されるカラオケ楽曲の曲時間に応じて変わってくる。また、ムービー画像素材ＤＢ２１ｄの各素材データは、後述するような各説明情報の中身に応じた背景画像となる動画像を表示するためのものになっており、上述したタイポグラフィー素材ＤＢ２１ｂの歌詞テキスト及びイコライザ素材ＤＢ２１ｃのイコライザーが表示された場合に、それらが目立つようにするため、動画像の背景色は基本的に暗めの色（例えば、黒、紺、茶等）にしている。
【０１２８】
図１４（ｂ）は、ムービー映像素材ＤＢ２１ｅに格納される素材データ（ファイル）の構成を概要的に示したものであり、この素材データ（ファイル）は、一つの動画ファイル（映像ファイル）を含んだものとなっており、この一つの動画ファイルは所定の再生時間を有するものであり、再生されるカラオケ楽曲の時間に応じて適宜、繰り返し再生されるようになっている（最後まで再生表示されても、カラオケ楽曲の再生が続く場合、最初に戻って再生表示が行われ、以降、カラオケ楽曲の再生が終了するまで、繰り返し再生が行われる）。なお、ムービー映像素材ＤＢ２１ｅの各素材データも、歌詞テキスト及びイコライザーが目立つようにするため、動画ファイルによる動画の背景色を基本的に暗めの色（例えば、黒、紺、茶等）にしている。
【０１２９】
図７（ｄ）に戻り、ムービー画像素材ＤＢ２１ｄに格納される背景画像の素材の具体例について説明すると、素材名には、図７（ｄ）に示す「演歌Ａ」、「演歌Ｂ」、「ポップスＡ」以外に、「ポップスＢ」、「ポップスＣ」、「ポップスＤ」、「ポップスＥ」、「ポップスＦ」、「ポップスＧ」及び「ポップスＨ」等がある。
【０１３０】
素材名が「演歌Ａ」である説明情報は、「人情味の強い演歌に適している。日本の心とも言える演歌のリズムを取り入れつつ、旧来の着物や雪景色といった演歌の映像イメージの殻を破り印象派的な映像を実現した。一見演歌とは無関係と思われる色彩や動きも、ビジュアルを自在に操るＶＪの手に委ねることにより融合。和心に染み込む映像として渾身の素材が創作された。」というものである。素材名が「演歌Ｂ」である説明情報は、「故郷などを懐かしむ演歌に適している。叙情的な映像を多用することで楽曲に込められたメッセージを損なうことなく表現。さらに、抽象化された映像を重ねて表現することで、歌い手の個性を引き出せるよう創作された。見る人が映像に影響されることなくメッセージを受け取ることで、演歌の持つ力を飾らず感じることができ、今までと違った楽曲の表情を楽しむことができる。」というものである。
【０１３１】
素材名が「ポップスＡ」である説明情報は、「アップテンポな曲に適している。まるでプロモーション映像に自らをダイブさせるように、陶酔を促してくれる映像集。次々に繰り出される、刹那的な映像には、様々な記号が混在し、どのような楽曲でも、見る人を引き込んでいく力がある。映像のエネルギーとバトルするかのように歌い上げることで、いつの間にか、楽曲と一体となったようなシンクロ感が生まれ、カラオケの新たな楽しさを味わうことができる。」というものである。素材名が「ポップスＢ」である説明情報は、「バラード曲に適している。楽曲に込められた様々なメッセージを歪めることなく、抽象的かつ、ドラマチックに映像が紡がれている。過去から現在まで、時代背景と男女の心情を折り重ねて表現される楽曲は、時に映像がメッセージをゆがめてしまう可能性があった。しかし、ＶＪの繊細な映像表現により、多くの楽曲にマッチする渾身の映像集が創出された。」というものである。
【０１３２】
素材名が「ポップスＣ」である説明情報は、「ゆったりした曲に適している。懐かしさと、更なる発見を繰り返し与えてくれる懐メロと呼ばれるジャンルに適した映像集。長く歌い継がれるその魅力あるメッセージとメロディーを損ねることなく、さらにその楽曲に映像を加えることで新鮮味を感じることができる。」というものである。素材名が「ポップスＤ」である説明情報は、「自然を歌った曲に適している。自然そのものの感動を引き出す映像集。映像に大きな装飾を加えないことで、自然そのものを愛でるような楽曲との相性を最優先に考え創出された。」というものである。
【０１３３】
素材名が「ポップスＥ」である説明情報は、「アニソン（アニメソング）に適している。人間の創造力の結晶とも言えるアニメに関連する楽曲に適した映像集。次々とリズミカルに期待を裏切るアニメの世界。その世界観を込めた楽曲には、疾走感、創造力、エロス、パワー、ゴッド、カオスなど、様々な要素を含む映像が求められる。クールジャパンを追求するＶＪの手により、それらの複雑な魅力を包括する映像が創出された。」というものである。素材名が「ポップスＦ」である説明情報は、「冬の曲に適している。純粋に冬を歌った曲をドラマチックに演出する映像集。季節を反映した楽曲の感情をより豊かに表現するためには、映像によるイメージの補完が必須である。制作された映像は、感情移入しやすい記号を含めたものとした。」というものである。
【０１３４】
素材名が「ポップスＧ」である説明情報は、「夏の曲に適している。夏を背景に持った楽曲は、明るさ、暑さ、華やかさといった映像が、メッセージをよりドラマチックに演出してくれる。強い日差しを表現した光の映像集により、全てを裸にするような夏の楽曲をさらに楽しい雰囲気に仕上げてくれる。」というものである。素材名が「ポップスＨ」である説明情報は、「アップテンポな曲に適している。数多く存在する、心の暗闇に光を当てた楽曲。その暗闇にダイブするかのように陶酔を誘う映像集。見る人に歌詞の持つ正負様々なメッセージを、スタイリッシュな映像という波で、激しく届ける。」というものである。したがって、ムービー画像素材ＤＢ２１ｄに格納される各背景画像の素材（素材データ）は、上述した各説明情報に応じた背景画像を表示できる内容になっている。
【０１３５】
また、図７（ｅ）の映像素材ＤＢ２１ｅに格納される素材については、素材名として「ムービーＡ」、「ムービーＢ」、「ムービーＣ」、「ムービーＤ」、「ムービーＥ」及び「ムービーＦ」等があり、これらの素材名に応じた説明情報も、上述の各データベースの場合と同様に、素材に係る映像内容を説明したものになっており、その詳細は省略する。なお、上述した各素材ＤＢ２１ａ、２１ｃ、２１ｄ、２１ｅの素材データにはそれぞれ、何も画像等が存在しない透明プレーンのファイルも含まれており、この透明プレーンのファイルが素材として選択された場合は、その素材に対する素材レイヤーは省かれた状態になる。
【０１３６】
次に、ユーザ側に設けられるカラオケ端末装置３０について説明する。図１に示すように、カラオケ端末装置３０は、カラオケ背景設定ＤＢ４０、カラオケお気に入りＤＢ４１、カラオケ履歴ＤＢ４２、カラオケ予約ＤＢ４３等の各種データベースを具備しており、リモコン装置３５でユーザからの操作指示を受け付け可能にしている
【０１３７】
図１５は、カラオケ端末装置３０の主要な内部構成を示すブロック図であり、本実施形態のカラオケ端末装置３０には、各種アプリケーションソフトのインストールが可能な汎用性のあるゲーム機を用いており、このゲーム機は一種のコンピュータに相当する仕様になっている。カラオケ端末装置３０は、後述する基本プログラム３６及びカラオケプログラム３７（アプリケーションソフトの一種）の規定内容に基づき全体的な制御及び各種処理を行うＣＰＵ３０ａに、各種デバイス等を内部接続線３０ｋで接続している。各種デバイス等には、通信インタフェース３０ｂ、ＲＡＭ３０ｃ、ＲＯＭ３０ｄ、音声入力デバイス３０ｅ、音声出力デバイス３０ｆ、映像出力デバイス３０ｇ、入力インタフェース３０ｈ、赤外線受光モジュール３０ｉ、記憶部（ＨＤＤ）３０ｊ等がある。
【０１３８】
通信モジュール３０ｂは、ネットワークＮＷとの接続デバイスである通信手段に相当し、所要の通信規格に応じたものである（例えばＬＡＮデバイス）。通信モジュール３０ｂは、所要の通信機器（図示は省略。例えばルータ等が該当）を介してネットワークＮＷと接続されており、ＣＰＵ３０ａの制御により、カラオケサーバ１０へユーザの操作指示等を送信すると共に、カラオケサーバ１０から送信されてくる各種データ等（各種データベース、カラオケ楽曲のデータ、各種素材のデータ等）を受信して取得する処理を行う。
【０１３９】
ＲＡＭ３０ｃは、ＣＰＵ３０ａの処理に伴う内容、ファイル等を一時的に記憶するものであり、本実施形態では編集画面５０や、カラオケ画面の合成画像等の表示処理に係るグラフィックメモリも含んだ総合的な一時記憶用メモリとしての機能を有する。ＲＯＭ３０ｄは、ＣＰＵ３０ａの基本的な処理内容を規定したプログラム等を記憶する。音声入力デバイス３０ｅは、ユーザの歌唱音を集音するマイク３１が接続されるものであり、マイク３１で集音された音声をスピーカ３２から出力できるように、所要の音声入力処理等を行う。音声出力デバイス３０ｆは、ユーザの歌唱音及びカラオケ楽曲の再生音等の出力を行うスピーカ３２が接続されるものであり、所要の増幅処理等を行う。
【０１４０】
映像出力デバイス３０ｇは、表示用の画面３３ａ（表示部に相当）を有する表示装置３３が接続されるものであり、表示装置３３の画面３３ａで後述する編集画面５０等を表示できるように、表示データの出力処理等を行う。入力インタフェース３０ｈは、カラオケ端末装置本体に設けられた操作部３４と繋がっており、操作部３４で受け付けたユーザの操作指示等をＣＰＵ３０ａへ伝える。なお、操作部３４には電源オン／オフスイッチ、音量調整スイッチ、音程調整スイッチ、上下左右キー、決定キー等が設けられている。受光モジュール３０ｉは、リモコン装置３５から発せられる赤外光を受光し、その赤外光に含まれるユーザの操作指示（リモコン装置３５で受け付けたユーザの操作指示）をＣＰＵ３０ａへ伝える。なお、リモコン装置３５にも、上下左右キー３５ａ〜３５ｄ、決定キー３５ｅ等が設けられている（図１参照）。
【０１４１】
記憶部３０ｊは、カラオケ端末装置３０が、ゲーム機の機能に加えてカラオケ装置として機能するために必要なプログラム及び各種データベース等を記憶するものであり、具体的には、基本プログラム３６、カラオケプログラム３７、ユーザ素材ＤＢ３８、カラオケ背景設定ＤＢ４０、カラオケお気に入りＤＢ４１、カラオケ履歴ＤＢ４２、カラオケ予約ＤＢ４３等を記憶する。
【０１４２】
基本プログラム３６は、コンピュータのオペレーティングシステムに相当する処理及びカラオケ端末装置３０がゲーム機として機能するための各種処理等を規定したものであり、この規定内容に基づきＣＰＵ３０ａが各種処理を行う。
【０１４３】
カラオケプログラム３７は、一種のコンピュータに相当するゲーム機に、カラオケ端末装置３０としてのカラオケ機能を具備させるための各種処理（具体的にはＣＰＵ３０ａが行う各種制御処理）を規定したものであり、このカラオケプログラム３７（コンピュータプログラムに相当）がインストールされることで、ゲーム機はカラオケ装置として機能する。すなわち、カラオケプログラム３７がインストールされることで、ＣＰＵ３０ａが、後述する本実施形態の特徴となるカラオケ用の各種手段として機能することになる。
【０１４４】
カラオケプログラム３７は、カラオケサーバ１０へアクセスして、ユーザが所望するカラオケ楽曲の検索、カラオケ楽曲の選択、選択したカラオケ楽曲の再生、再生したカラオケ楽曲の履歴作成、ユーザのお気に入りカラオケ楽曲の一覧リスト作成、歌唱予定のためのカラオケ楽曲の予約一覧リストの作成等に係る処理を規定しており、これらの各処理の主内容は、従来から存在するものなので説明は省略する。
【０１４５】
さらに、本実施形態のカラオケプログラム３７は、上述した従来から存在する各処理に加えて、図２０に示す編集画面５０及び各種メニューを表示するための表示パーツを含むと共に、編集画面５０に係る各種処理を規定して、ユーザの所望のカラオケ画面を容易に編集できるようにしている。そして、作成したカラオケ画面を登録すると、お気に入りリスト、カラオケ履歴リスト、カラオケ予約リスト等の各種リストに反映する処理等もカラオケプログラム３７は規定している。さらにまた、カラオケプログラム３７は、編集された合成画像をカラオケ画面（動く歌詞を表示するもの）として表示する処理も規定しており、このようなカラオケプログラム３７の規定内容に基づいたＣＰＵ３０ａの制御動作により、後述する本発明に関する各種処理が実現されている（例えば、ＣＰＵ３０ａは、カラオケプログラム３７の規定により、歌詞表示手段として機能することになる）。
【０１４６】
図１６（ａ）は、ユーザ素材ＤＢ３８の中身を示しており、ユーザ素材ＤＢ３８は、ユーザ素材の各種画像ファイル（画像データ）を格納したデータベースに相当するものである。ユーザ素材ＤＢ３８に格納されるユーザ素材の画像ファイルは、上述したカラオケサーバ１０の図７（ｄ）のムービー画像素材ＤＢ２１ｄ及び図７（ｅ）のムービー映像素材ＤＢ２１ｅに格納される素材と同様に、ムービーレイヤーの設定対象となる素材に相当する。このユーザ素材ＤＢ３８に格納される画像ファイルは、ユーザにより取得されたものであり、静止画、動画の両方が含まれると共に、ユーザが撮影したもの以外に、ユーザが他の手段により取得したものが含まれる（例えば、ネットワークを通じてダウンロードした画像等が格納される）。
【０１４７】
図１６（ｂ）は、後述する編集画面５０の表示を経て、ユーザ素材ＤＢ３８に格納されたユーザ素材の各画像ファイルが選択対象となった場合に表示される格子状サムネイル画面７０を示している。この格子状サムネイル画面７０では、ユーザ素材ＤＢ３８に格納された画像ファイルの中で、静止画は、その縮小画面として配置され、動画は、最初の動画フレームを構成する画像が縮小画面として配置されるようになっている。
【０１４８】
また、図１７は、カラオケ背景設定ＤＢ４０（設定データベースに相当）の中身を示しており、このカラオケ背景設定ＤＢ４０は、図２０に示す編集画面５０で編集作成された合成画像が、ある一つのカラオケ楽曲のカラオケ画面としてユーザにより登録の指示された場合に、その登録内容を格納するために用いられるものである。カラオケ背景設定ＤＢ４０には、カラオケ楽曲を示す曲ＩＤに対応付けて、登録日時、第１レイヤー（パーティクルレイヤー）に設定された素材データを示すファイル名、第２レイヤー（タイポグラフィーレイヤー）に設定された素材データを示すファイル名、第３レイヤー（イコライザーレイヤー）に設定された素材データを示すファイル名及び第４レイヤー（ムービーレイヤー）に設定された素材データを示すファイル名がそれぞれ格納（記憶）される。なお、カラオケ背景設定ＤＢ４０は、ユーザによるカラオケ画面の設定数が増えるごとに、格納内容も増えることになる。
【０１４９】
また、図１５に示すカラオケお気に入りＤＢ４１、カラオケ履歴ＤＢ４２、カラオケ予約ＤＢ４３はそれぞれ、カラオケ楽曲を選択するためのリスト（カラオケ楽曲のリスト）を表示するために用いられる。すなわち、カラオケシステム１において、ユーザが歌唱するカラオケ楽曲を選択する仕方としては、複数の手段が提供されており、その一例として、複数種類のカラオケ楽曲のリストのいずれかをＣＰＵ３０ａの制御により表示し、そのリストから所望のカラオケ楽曲を選択する仕方がある。具体的には、図１８（ａ）に示すカラオケお気に入りリスト８０、図１８（ｂ）に示すカラオケ履歴リスト８１、図１９（ａ）に示すカラオケ予約リスト８２、歌手名または曲名等で検索した検索結果を示す楽曲リスト８３（図１９（ｂ）参照）等といった各種カラオケ楽曲のリストの中から、ユーザが所望するカラオケ楽曲を選択することができる。
【０１５０】
図１８（ａ）は、カラオケお気に入りＤＢ４１に基づいて、カラオケ端末装置３０で表示されるカラオケお気に入りリスト８０を示している。カラオケお気に入りＤＢ４１には、このようなカラオケお気に入りリスト８０を表示できるように、ユーザがお気に入りとして設定したカラオケ楽曲を識別する曲ＩＤごとに、曲名、お気に入り登録日等が格納されている。なお、カラオケ楽曲のお気に入りに関する機能は、従来より存在するものなので、詳細な説明は省略するが、本実施形態では、後述するように、カラオケお気に入りリスト８０において、カラオケ背景設定ＤＢ４０に曲ＩＤが格納されたカラオケ楽曲が含まれる場合、そのカラオケ楽曲を、他の通常のカラオケ楽曲と相異する形態（リスト欄の背景色を相異させた形態）にすることが特徴になっている（図１８（ａ）において、上から２番目及び７番目のリスト欄を参照）。
【０１５１】
図１８（ｂ）は、カラオケ履歴ＤＢ４２に基づいて、カラオケ端末装置３０で表示されるカラオケ履歴リスト８１を示している。カラオケ履歴ＤＢ４２には、このようなカラオケ履歴リスト８１を表示できるように、ユーザの選択したカラオケ楽曲が再生されたことに起因して、その再生されたカラオケ楽曲を識別する曲ＩＤごとに、曲名、再生日時等が随時格納される。なお、カラオケ楽曲の再生履歴に関する機能も、従来より存在するものなので、詳細な説明は省略するが、本実施形態では、上記のお気に入りリスト８０と同様に、カラオケ履歴リスト８１において、カラオケ背景設定ＤＢ４０の曲ＩＤが格納されたカラオケ楽曲が含まれる場合、そのカラオケ楽曲を、他の通常のカラオケ楽曲と相異する形態（リスト欄の背景色を相異させた形態）にすることが特徴になっている（図１８（ｂ）において、上から３番目のリスト欄を参照）。
【０１５２】
図１９（ａ）は、カラオケ予約ＤＢ４３に基づいて、カラオケ端末装置３０で表示されるカラオケ予約リスト８２を示している。カラオケ予約ＤＢ４３には、このようなカラオケ予約リスト８２を表示できるように、ユーザの予約したカラオケ楽曲を識別する曲ＩＤごとに、曲名、予約日時等が随時格納されるようになっている。なお、カラオケ楽曲の予約に関する機能も、従来より存在するものなので、詳細な説明は省略するが、本実施形態では、上記のお気に入りリスト８０と同様に、カラオケ予約リスト８２において、カラオケ背景設定ＤＢ４０に曲ＩＤが格納されたカラオケ楽曲が含まれる場合、そのカラオケ楽曲を、他の通常のカラオケ楽曲と相異する形態（リスト欄の背景色を相異させた形態）にすることが特徴になっている（図１９（ａ）において、上から３番目のリスト欄を参照）。
【０１５３】
図１９（ｂ）は、歌手名で検索した場合の検索結果に応じた楽曲リスト８３がカラオケ端末装置３０で表示された状態を示している。この楽曲リスト８３は、カラオケ端末装置３０でユーザが入力した歌手名が、カラオケサーバ１０へ送信され、カラオケサーバ１０は、送信されてきた歌手名で、上述したカラオケ楽曲ＤＢ２０を検索し、その検索結果をカラオケ端末装置３０へ送信し、カラオケ端末装置３０は、送信されてきた検索結果に基づき楽曲リスト８３を作成して表示することになる。なお、このような楽曲リスト８３に係る機能も、従来より存在するものであるが、本実施形態では、上記のお気に入りリスト８０と同様に、楽曲リスト８３において、カラオケ背景設定ＤＢ４０に曲ＩＤが格納されたカラオケ楽曲が含まれる場合、そのカラオケ楽曲を、他の通常のカラオケ楽曲と相異する形態（リスト欄の背景色を相異させた形態）にすることが特徴になっている（図１９（ｂ）において、上から７番目のリスト欄を参照）。
【０１５４】
次に、図２０に示す編集画面５０（編集画面ページ）について説明する。編集画面５０は、ユーザが所望するカラオケ画面の編集作成を行うことを可能にする画面ページであり、上述した各リスト８０〜８３の中から、ユーザが歌唱を希望するカラオケ楽曲を選択することに伴って、カラオケ端末装置３０の表示装置３３の画面３３ａで表示されるようになっている。
【０１５５】
具体的には、図１８（ａ）のカラオケお気に入りリスト８０〜図１９（ｂ）の楽曲リスト８３の各カラオケ楽曲のリスト８０〜８３において、操作部３４又はリモコン装置３５の上下キーでカーソルを移動させて、ユーザが歌唱を希望するカラオケ楽曲のリスト欄にカーソルを位置させた状態で、決定キーが操作されると、図２１（ａ）に示す第１メニュー９０が表示されるようになっている。
【０１５６】
図２１（ａ）の第１メニュー９０には、選択されたリスト欄に配置されたカラオケ楽曲について、曲名、歌手名、歌いだし、曲情報が示される他に、「予約」及び「オプション」という二項目が選択可能に配置されている。「予約」の項目が上下キー及び決定キーの操作で選択されると、選択されたリスト欄に配置されたカラオケ楽曲の曲ＩＤ等の情報が、上述したカラオケ予約ＤＢ４３に登録され、予約されることになる。また、「オプション」の項目が、上下キー及び決定キーの操作で選択されると、図２１（ｂ）に示す第２メニュー９１が表示される。
【０１５７】
図２１（ｂ）の第２メニュー９１は、上述した第１メニュー９０に対して追加的に表示されるものであり、「お気に入り登録」、「ＰＬＡＹ  ＬＩＳＴ登録」、「採点演奏設定」及び「レイヤーミキサー」という計四項目が選択可能に配置されたものである。「レイヤーミキサー」以外の項目は、従来から存在するものである（例えば、「お気に入り登録」の項目が上下キー及び決定キーの操作で選択されると、選択されたリスト欄に配置されたカラオケ楽曲が、上述したカラオケお気に入りＤＢ４１に格納される）。
【０１５８】
また、「レイヤーミキサー」の項目が上下キー及び決定キーの操作で選択されると、図２０に示す編集画面５０が表示される。これにより、編集画面５０は、各リスト８０〜８３の中から一つのカラオケ楽曲の選択を経てから、メニュー９０、９１での項目選択の結果として表示されるので、その選択されたカラオケ楽曲用のカラオケ画面を、編集画面５０で編集作成することが可能となる（図２０において、選択されたカラオケ楽曲の曲名が左上に配置される）。このようなカラオケ楽曲との対応付けの処理（ヒモ付け処理）は、カラオケ端末装置３０において、各リスト８０〜８３の中から一つのカラオケ楽曲が選択されると、その選択されたカラオケ楽曲の曲ＩＤをＲＡＭ３０ｃに記憶し、編集画面５０での作業が終了するまで、引き続き記憶することで、表示した編集画面５０を、ＲＡＭ３０ｃに曲ＩＤが記憶されたカラオケ楽曲用として処理することが可能となる。また編集画面５０で編集された合成画像をカラオケ画面として登録する際は、ＲＡＭ３０ｃに記憶されていた曲ＩＤと共に、各レイヤーに設定された素材データ及び作成日時が上述のカラオケ背景設定ＤＢ４０に格納されることで実現される。
【０１５９】
図２０に示す編集画面５０は、全画面領域を計四つの領域の第１領域５０ａ、第２領域５０ｂ、第３領域５０ｃ及び第４領域５０ｄに区分けしている。第１領域５０ａには、上述した４種類の素材レイヤー（パーティクルレイヤー、タイポグラフィーレイヤー、イコライザーレイヤー、ムービーレイヤー）のいずれか一つを設定作業対象（編集作業対象）として選択可能にしたレイヤーアイコン５１（レイヤー選択部に相当）が、ＣＰＵ３０ａの制御により配置表示される。
【０１６０】
図２２（ａ）は、第１領域５０ａで表示されるレイヤーアイコン５１の詳細を示しており、レイヤーアイコン５１は、パーティクルレイヤーを示す第１レイヤーアイコン５１ａ、タイポグラフィーレイヤーを示す第２レイヤーアイコン５１ｂ、イコライザーレイヤーを示す第３レイヤーアイコン５１ｃ及びムービーレイヤーを示す第４レイヤーアイコン５１ｄを含むと共に、各レイヤーアイコン５１ａ〜５１ｄのいずれか一つを囲むように移動可能なカーソル枠５１ｅを含んだものになっている。カーソル枠５１ｅは、操作部３４又はリモコン装置３５の上下キーでユーザ操作を受け付けることで上下に移動可能になっており、カーソル枠５１ｅで囲われた状態のレイヤーアイコンが、編集対象として選択された素材レイヤーになる。なお、図２２（ａ）は、カラオケ画面の合成画像を構成する各素材レイヤーの実際の重ねられる順序を示したものになっている。
【０１６１】
また、図２０に示す第２領域５０ｂには、素材サムネイル部５２が、ＣＰＵ３０ａの制御により配置表示されており、この素材サムネイル部５２は、上述した第１領域５０ａのレイヤーアイコン５１で編集対象として選択された状態になっている素材レイヤーに応じた素材のサムネイルデータ（サムネイル画像）を、素材ＤＢ２１（図７（ａ）〜（ｅ）参照）及び図１６（ａ）に示すユーザ素材ＤＢ３８から複数抽出して、一列に並べたものになっている。
【０１６２】
このサムネイルデータの抽出について、カラオケ端末装置３０のＣＰＵ３０ａは、図２１（ｂ）の第２メニュー９１で「レイヤーミキサー」が選択されたことに応じて、予めカラオケサーバ１０へ素材ＤＢ２１の要求指示を送信するようにしており、カラオケサーバ１０は要求指示を受信すると、素材ＤＢ２１をカラオケ端末装置３０へ送信し、カラオケ端末装置３０は、受信した素材ＤＢ２１をＲＡＭ３０ｃに記憶する。また、カラオケ端末装置３０は、上述したように、各リスト８０〜８３の中から一つのカラオケ楽曲が選択されると、選択されたカラオケ楽曲の曲ＩＤをカラオケサーバ１０へ送信し、カラオケサーバ１０は曲ＩＤを受信すると、その曲ＩＤに対応付けられたカラオケファイル内の属性情報を、図３（ａ）に示すカラオケ楽曲ＤＢ２０のカラオケファイルの中から抽出し、その抽出した属性情報をカラオケ端末装置３０へ送信するようにしており、カラオケ端末装置３０は、受信した属性情報（現在選択中のカラオケ楽曲の属性情報）もＲＡＭ３０ｃに記憶する。
【０１６３】
カラオケ端末装置３０では、上述した処理を経てＲＡＭ３０ｃに一時的に記憶している素材ＤＢ２１の中から、必要なサムネイルデータ、素材データ及び説明情報を適宜抽出して、編集画面５０に配置するようにしている。
【０１６４】
すなわち、サムネイルデータについて、カラオケ端末装置３０のＣＰＵ３０ａは、第１領域５０ａのレイヤーアイコン５１で選択状態になっている素材レイヤーに応じたサムネイルデータをＲＡＭ３０ｃから計５個抽出するようにしており、最初に編集画面５０を表示する際には、ＲＡＭ３０ｃに一時的に記憶されている属性情報に応じたサムネイルデータを必ず含むように抽出する。そして、ＣＰＵ５０ａは、抽出した計５個のサムネイルデータを、第２領域５０ｂの素材サムネイル部５２に、横一列に並べて表示するようにしており、この際、属性情報に応じたサムネイルデータを横一列の中央に配置する。なお、素材サムネイル部５２の中央の箇所は、カーソル枠５２ａで囲われており、それにより、中央に位置するサムネイル画像の素材が選択された状態になっていることをユーザに知らせるようにしている（図２２（ｂ）参照）。さらに、ＣＰＵ５０ａは、抽出したサムネイルデータに応じた素材名も素材ＤＢ２１から抽出し、抽出した素材名を、それぞれが対応するサムネイルデータ（サムネイル画像）の下方に配置する。
【０１６５】
図２２（ｂ）は、第２領域５０ｂで表示される素材サムネイル部５２の詳細を示しており、素材サムネイル部５２は、上述したように抽出された五個のサムネイルデータに応じたサムネイル画像を横一列に並べると共に、中央のサムネイル画像のみを、残り４個のサムネイル画像より大きいサイズで表示するようにしている。そして、この中央に位置するサムネイル画像の素材が、素材サムネイル部５２において選択状態になっているものである。
【０１６６】
さらに、素材サムネイル部５２は、左右方向にスクロール可能になっており、操作部３４又はリモコン装置３５の左右キーの操作により、素材サムネイル画像５２に配置されたサムネイル画像がスクロールされて、素材ＤＢ２１に格納されている各素材のサムネイルデータを随時抽出して、スクロール量に応じて素材サムネイル部５２スクロール表示できるようにしている。なお、素材サムネイル画像５２の左右スクロールは、図７（ａ）〜（ｅ）等に示す素材ＤＢごとに、格納されたサムネイルデータをループ的にスクロールする（最後のサムネイルデータを素材サムネイル部５２に配置してからもスクロールが続くと、最初に左端に配置されたサムネイルデータを、最後のサムネイルデータの隣に配置し、以降、このようなスクロールを繰り返す）。
【０１６７】
そして、上述した素材サムネイル部５２は、第１領域のレイヤーアイコン５１で選択されるレイヤーのアイコンが切り換えられるごとに連動して、表示すべきサムネイル画像の素材（サムネイルデータ）を切り換えている。すなわち、レイヤーアイコン５１で第１レイヤーアイコン５１ａ（パーティクルレイヤー）が選択されると、カラオケ端末装置３０のＣＰＵ３０ａは、図７（ａ）に示すパーティクル素材ＤＢ２１ａの中からサムネイルデータ及び素材名を必要数、抽出して、素材サムネイル部５２に配置し表示することになる。そして、ユーザが左右キーを操作すると、ＣＰＵ３０ａは、パーティクル素材ＤＢ２１ａに格納されたサムネイルデータ及び素材名を順次抽出して、素材サムネイル部５２に配置することで、パーティクル素材の左右スクロールを実現すると共に、左右スクロールに伴い、中央に位置するサムネイル画像が入れ替わることで、パーティクルレイヤーの設定対象として、複数の中から一つのパーティクル素材（サムネイル画像）を適宜選択できるようにしている。
【０１６８】
また、上下キーの操作により、レイヤーアイコン５１における選択が第２レイヤーアイコン５１ｂ（タイポグラフィーレイヤー）に切り替わると、カラオケ端末装置３０のＣＰＵ３０ａは、図７（ｂ）に示すタイポグラフィー素材ＤＢ２１ｂの中からサムネイルデータ及び素材名を必要数、抽出して、素材サムネイル部５２に配置し表示することになる（図２２（ｂ）参照）。そして、ユーザが左右キーを操作すると、ＣＰＵ３０ａは、タイポグラフィー素材ＤＢ２１ｂに格納されたサムネイルデータ及び素材名を順次抽出して、素材サムネイル部５２に配置することで、タイポグラフィー素材の左右スクロールを実現すると共に、左右スクロールに伴い、真ん中に位置するサムネイル画像が切り替わることで、タイポグラフィーレイヤーに対して設定するタイポグラフィー素材（サムネイル画像）が選択されるようにしている。
【０１６９】
さらに、上下キーの操作により、レイヤーアイコン５１における選択が第３レイヤーアイコン５１ｃ（イコライザーレイヤー）に切り替わると、カラオケ端末装置３０のＣＰＵ３０ａは、図７（ｃ）に示すイコライザー素材ＤＢ２１ｃの中からサムネイルデータ及び素材名を必要数、抽出して、素材サムネイル部５２に配置し表示することになる。そして、ユーザが左右キーを操作すると、ＣＰＵ３０ａは、イコライザー素材ＤＢ２１ｃに格納されたサムネイルデータ及び素材名を順次抽出して、素材サムネイル部５２に配置することで、イコライザー素材の左右スクロールを実現すると共に、左右スクロールに伴い、真ん中に位置するサムネイル画像が切り替わることで、イコライザーレイヤーに対して設定するイコライザー素材（サムネイル画像）を順次選択できるようにしている。
【０１７０】
また、上下キーの操作により、レイヤーアイコン５１における選択が第４レイヤーアイコン５１ｄ（ムービーレイヤー）に切り替わると、カラオケ端末装置３０のＣＰＵ３０ａは最初、図７（ｄ）に示すムービー画像素材ＤＢ２１ｄの中からサムネイルデータ及び素材名を３個抽出して、素材サムネイル部５２の左から順に配置し表示すると共に、中央には、選択されたカラオケ楽曲の属性情報に応じた画像素材を配置する。さらに、ＣＰＵ３０ａは、図７（ｅ）に示すムービー映像素材ＤＢ２１ｅから、選択されたカラオケ楽曲の属性情報に応じた映像素材及び素材名を一つ抽出し、その抽出した映像素材を、素材サムネイル部５２の右から二番目に配置する。さらにまた、ＣＰＵ３０ａは、図１６（ａ）のユーザ素材ＤＢ３８を示すフォルダのアイコンを、素材サムネイル部５２の右端に配置する。なお、ユーザ素材ＤＢ３８を示すフォルダのアイコンを配置する替わりに、例えば、ユーザ素材ＤＢ３８から、一番目に格納されているユーザ素材の画像を抽出し、その抽出した画像を、素材サムネイル部５２の右端に配置してもよい。
【０１７１】
よって、第４レイヤーアイコン５１ｄが選択されると、最初、素材サムネイル部５２には、左端から中央までが図７（ｄ）に示すムービー画像素材ＤＢ２１ｄから抽出された画像素材のサムネイル画像が配置され、右から二番目には、図７（ｅ）に示すムービー映像素材ＤＢ２１ｅから抽出された映像素材のサムネイル画像が配置され、右端には図１６（ａ）のユーザ素材ＤＢ３８を示すフォルダのアイコンが配置され、異なるデータベースに格納された素材のサムネイル画像等が混在して並べられる。そして、この状態から左キーが操作されて、素材サムネイル部５２が一つ分だけ左へスクロールされると、中央にムービー映像素材ＤＢ２１ｅから抽出された映像素材のサムネイル画像が位置して選択状態となり、更に左キーが操作されて、素材サムネイル部５２が更に一つ分だけ左へスクロールされると、中央にユーザ素材ＤＢ３８を示すフォルダのアイコンが位置して選択状態となる。そして、この状態で、決定キーを操作すると、図１６（ｂ）に示す格子状サムネイル画面７０が、編集画面５０の上に表示される。
【０１７２】
この格子状サムネイル画面７０は、ユーザ素材ＤＢ３８に含まれる計８個のユーザ素材が二行四列で配置されたものになっていると共に、左上の端にカーソル枠７１が表示され、このカーソル枠７１は、上下左右キーで移動可能であり、カーソル枠７１で囲われたユーザ素材のサムネイル画像が選択された状態になる。また、格子状サムネイル画面７０は、上下キーにより上下にスクロール可能であり、このスクロールもループ的なスクロールになっている。また、カーソル枠７１が、いずれかのユーザ素材を囲った状態で、決定キーが操作されると、格子状サムネイル画面７０は消去され、カーソル枠７１で囲われていたユーザ素材のサムネイル画像が、素材サムネイル部５２の中央に配置された状態に戻る。
【０１７３】
なお、最初に編集画面５０が表示された状態から、素材サムネイル部５２において左スクロールを行うと、右側から順に新たなサムネイル画像が配置されることになるが、これらの新たなサムネイル画像は、図７（ｄ）に示すムービー画像素材ＤＢ２１ｄから抽出されたものが表示される。また、素材サムネイル部５２において右スクロールを行った場合も、左側から順に新たにサムネイル画像が配置され、このような新たなサムネイル画像も、図７（ｄ）に示すムービー画像素材ＤＢ２１ｄから抽出されたものが表示されることになる。さらに、左又は右スクロールで一周すると、再度、図７（ｅ）に示すムービー映像素材ＤＢ２１ｅから抽出された映像素材のサムネイル画像及びユーザ素材ＤＢ３８を示すフォルダのアイコンが現れる。
【０１７４】
また、図２０の編集画面５０の第３領域５０ｃには、各素材レイヤーで選択状態（設定状態）となっている素材を重ね合わせた合成画像がプレビュー合成画像５３として、ＣＰＵ３０ａの制御により配置表示される。すなわち、最初に編集画面５０が表示された際には、各レイヤーについてＣＰＵ３０ａの制御によりデフォルトで設定された状態になっている各素材の合成画像が第３領域５０ｃに表示される。
【０１７５】
ここで、デフォルトで設定された状態になっている各素材とは、表示される編集画面５０に応じたカラオケ楽曲の属性情報に応じた素材のことであり、編集画面５０を最初に表示する際、ＣＰＵ３０ａ（デフォルト設定手段に相当）が、ＲＡＭ３０ｃに記憶されている属性情報（選択されたカラオケ楽曲に付随する属性情報）を読み取り、その読み取った属性情報に対応する素材を、素材ＤＢ２１から素材レイヤーごとに特定し、その特定した素材をデフォルトとして設定するものである。したがって、編集画面５０が最初に表示された状態で、各素材レイヤーには、それぞれデフォルトの素材が設定された状態になっており、デフォルトで設定された素材による合成画像がプレビュー合成画像５３として第３領域５０ｃに表示されると共に、素材サムネイル部５０の中央には、デフォルトの素材のサムネイル画像が位置するようになっている。このようなデフォルト設定により、最初に編集画面５０が表示されると、選択されたカラオケ楽曲に応じた素材が自動で設定状態となっていることから、このデフォルトの設定状態に基づきユーザは編集作業を開始でき、何も設定されていない状態に比べて効率的な編集作業を行える。
【０１７６】
そして、上述したように上下キーの操作で編集対象の素材レイヤーを切り替え、左右キーの操作で素材サムネイル部５２をスクロールして、選択状態の素材を切り替え、切り替わった素材でプレビュー合成画像５３を表示するので、上下左右キーの操作のみで、ユーザは容易に編集作業を行える。
【０１７７】
さらに、図２０の編集画面５０の第４領域５０ｄには、素材サムネイル部５２の中央に位置して選択状態となっている素材（サムネイル画像）に係る説明を示す文字情報である説明情報５４が、ＣＰＵ３０ａにより配置表示される。この第４領域５０ｄの説明情報５４も、素材ＤＢ２１から抽出されるものであり、素材サムネイル部５２の左右スクロールにより、中央に位置する素材が切り替わるごとに、それに合わせて説明情報５４も随時、素材ＤＢ２１から抽出されて、第４領域５０ｄに配置される説明情報５４も切り替わる。
【０１７８】
編集画面５０については、以上のような表示がなされるので、ユーザは、レイヤー毎に選択できる各素材を素材サムネイル部５２で確認できると共に、現在の選択状態の素材で得られるカラオケ画面を第３領域５０ｃのプレビュー合成画像５３で確認できる。そして、素材サムネイル部５２をスクロールさせると、選択すべき素材を容易に切り換えることができると共に、選択すべきか否かを第３領域のプレビュー合成画像５３で、合成画像の状態でチェックでき、その上、第４領域５０ｄの説明情報５４により、選択に係る判断のための詳細な説明を確認できる。以上のことから、本実施形態のカラオケシステム１は、従来のものに比べて、カラオケ画面の効率的な編集作業を可能にしている。
【０１７９】
また、編集画面５０において、上述した上下左右キー等の操作により、ユーザの所望するカラオケ画面がプレビュー合成画像５３として得られると、編集画面５０の右下のバツボタン５５を選択する操作を行うと、ユーザにより設定された内容が受け付けられ、図２３に示す登録確認メニュー６５が、編集画面５０の上に表示されるようになっている。
【０１８０】
図２３の登録確認メニュー６５は、計三個の項目が選択可能に配置されたものになっており、第１項目６５ａは「お気に入り登録＆予約」というものであり、第２項目６５ｂは「お気に入り登録」というものであり、第３項目６５ｃは「登録しない」というものである。これらの項目は、カーソル６５ｄを上下キーの操作で上下させることで、いずれか一つの項目が選択対象となり、その状態で決定キーが操作されることで、選択対象の項目が選択される。
【０１８１】
第１項目６５ａの「お気に入り登録＆予約」が選択されると、編集画面５０のプレビュー合成画像５３を生成する各レイヤーに設定（選択）されている素材の素材ファイルが、第１項目６５ａの選択操作のあった日時（登録日時）及び編集画面５０に応じたカラオケ楽曲の曲ＩＤと一緒に図１７のカラオケ背景設定ＤＢ４０に格納されると共に、編集画面５０に応じたカラオケ楽曲の曲ＩＤ等は、カラオケ予約ＤＢ４３にも格納されて、カラオケ楽曲の予約も同時に行われる。
【０１８２】
また、第２項目６５ｂの「お気に入り登録」が選択されると、編集画面５０のプレビュー合成画像５３を生成する各レイヤーに設定（選択）されている素材の素材ファイルが、第２項目６５ｂの選択操作のあった日時（登録日時）及び編集画面５０に応じたカラオケ楽曲の曲ＩＤと一緒に図１７のカラオケ背景設定ＤＢ４０に格納される。なお、第３項目６５ｃの「登録しない」が選択されると、登録確認メニュー６５及び編集画面５０を閉じて、図２１（ｂ）の第２メニュー９１の表示状態に戻る。
【０１８３】
このようにして図１７のカラオケ背景設定ＤＢ４０に格納される情報が蓄積されると、それ以降で上述した図１８（ａ）のカラオケお気に入りリスト８０、図１８（ｂ）のカラオケ履歴リスト８１、図１９（ａ）のカラオケ予約リスト８２及び図１９（ｂ）の楽曲リスト８３を表示する際、カラオケ端末装置３０のＣＰＵ３０ａは、カラオケ背景設定ＤＢ４０に格納されている情報（曲ＩＤ等）をチェックする。そして、各リスト８０〜８３の中に、カラオケ背景設定ＤＢ４０に格納されている曲ＩＤと同じものが含まれていれば、その同じ曲ＩＤに係るカラオケ楽曲を配置したリスト欄の背景色をＣＰＵ３０ａの制御により、他と相異させる（例えば、図１８（ａ）の上から２番目のリスト欄等を参照）。これにより、ユーザが設定したカラオケ画面が存在するカラオケ楽曲を一目で見分けることができる。
【０１８４】
なお、図１８（ｂ）のカラオケ履歴リスト８１については、カラオケ背景設定ＤＢ４０に格納されている曲ＩＤ及び登録日時をチェックし、カラオケ履歴リスト８１の中に、これら曲ＩＤ及び登録日時と同じものが存在すれば、その同じものに係るカラオケ楽曲を配置したリスト欄の背景色を他と相異させるようにしている（登録日時については、所定の時間内（例えば約２０分内）は同じと判断している）。これにより、カラオケ履歴リスト８１においては、曲ＩＤだけが一致しても、登録日時が異なれば、背景色の変更はされないようになっている（図１８（ｂ）の上から２番目と３番目のリスト欄の背景色の相異を参照）。
【０１８５】
これらの各リスト８０〜８３で、ユーザ設定のカラオケ画面が存在するカラオケ楽曲が歌唱のために選択されると、その選択されたカラオケ楽曲の曲ＩＤに基づき、カラオケ背景設定ＤＢ４０に登録されているレイヤー毎の素材データ（画像ファイル）等がＣＰＵ３０ａにより選択され（ＣＰＵ３０ａが特定手段として機能）、その選択された各素材データが読み出され、カラオケ楽曲の再生処理に伴い、各レイヤーの素材を重ね合わせた合成画像がカラオケ画面として表示されることになる。また、ユーザ設定のカラオケ画面が存在しないカラオケ楽曲が歌唱のために選択された場合は、選択されたカラオケ楽曲の曲ＩＤに応じた属性情報をカラオケサーバ１０が検索し、その検索された属性情報に応じた素材データ（画像ファイル）等が素材ＤＢ２１から各レイヤー用としてＣＰＵ３０ａにより選択され（ＣＰＵ３０ａが特定手段として機能）、選択された素材を重ね合わせた合成画像がカラオケ楽曲の再生処理の際、カラオケ画面として表示されることになる。
【０１８６】
なお、タイポグラフィレイヤーにおいては、設定されたタイポグラフィー素材の素材データに応じた表示タイミングとして、図６に示す割当テーブル２１０の中から一つがＣＰＵ３０ａにより特定され（ＣＰＵ３０ａが特定手段として機能）、その特定された表示タイミングでタイポグラフィー素材の素材データの表示処理が行われることで、素材データの規定に従った形で、選択したカラオケ楽曲の歌詞テキストが示される（ＣＰＵ３０ａが歌詞表示手段として機能）。
【０１８７】
図２４（ａ）〜（ｄ）は、パーティクルレイヤーに素材名が「星間ワープ」という素材データが設定され、タイポグラフィーレイヤーには素材名が「ライトフレームイン」という素材データが設定され、イコライザーレイヤーには素材名が「スタンダード」という素材データが設定され、ムービーレイヤーには、ムービー画像素材ＤＢ２１ｄの中の素材名が「サマー」という素材データ（夏の太陽がギラギラしているイメージの背景画像）が設定された場合の合成画像２５０が、画面３３ａにカラオケ画面として表示された状態を示している（図２４（ａ）〜（ｄ）は、カラオケ歌詞表示方法による表示状態を示す）。
【０１８８】
図２４（ａ）〜（ｄ）の状態は、タイポグラフィーレイヤーにおいては「ライトフレームイン」という素材名の素材データについて説明した図９（ａ）〜（ｄ）の状態に対応するものであり、楽曲データの再生処理を行う場合、楽曲データに対応付けられたタイミングデータ部で規定された歌詞表示タイミングの一つ（表示タイミングＮｏ．１）で、複数種類の中の一つである「ライトフレーム」の素材データが規定する歌詞テキストの現れ方にもとづいて、歌詞テキストのデータの表示処理が行われる。そのため、図２４（ａ）〜（ｄ）の合成画像２５０において、今までにない形態で歌詞テキストが動くように表示されることから、視覚を通じてユーザの気分は盛り上がり、カラオケをより楽しむことができる。また、このような表示状態においても、歌詞テキストは、ムービーレイヤーの動画及びイコライザーレイヤーのイコライザーより上方に重ねて配置されることから、ユーザは、歌詞テキストの文字を把握することができると共に、歌詞テキストとイコライザーの色は異なることから、両者が重なった場合でも、ユーザは歌詞テキストの文字を認識でき、歌唱に支障は生じない。
【０１８９】
図２４（ｄ）の状態から、更にカラオケ楽曲の再生が進行すると、２つめ以降の歌詞テキストのデータによる文字は、「ライトフレームイン」という素材データの規定内容に従って、図２４（ａ）〜（ｄ）に示す状態と同様に、次々と現れては消えていくように表示される。そして、その間もイコライザーは、カラオケ楽曲の再生状況に応じて、ＣＰＵ３０ａの制御により棒グラフの長さが適宜変化して表示処理が行われ、また、ムービーレイヤーの表示対象の動画像（背景画像）は、図５（ｅ）に示す背景画像切替タイミングに従って、図１４（ａ）に示すようにＣＰＵ３０ａの制御で順次切り替わっていくので、このような様々な素材の表示内容の変化による相乗効果により、カラオケを楽しむユーザの気分及び雰囲気を盛り上げることができる。
【０１９０】
また、カラオケシステム１では、ユーザが選択したカラオケ楽曲に連動して各レイヤーに設定される素材データがデフォルトとして選択されるので、一般的なユーザは、特別な設定操作を行わなくても簡単に、上述した今までにない歌詞テキストの表示形態等を楽しむことができる。また、こだわりのあるユーザ等にとっては、図２０に示した編集画面５０を通じて、ユーザ自身が所望する素材データを各レイヤーごとに設定することも可能であるため、様々な形態で動く歌詞テキストを示す合成画像２５０をカラオケ画面として楽しむことができる。
【０１９１】
なお、本実施形態のカラオケシステム１は、上述した形態に限定されるものではなく、様々な変形例の適用が可能である。例えば、上記の実施例では、一つの楽曲ファイルについて用いられるタイポグラフィー素材の素材データは一種類だけであったが、カラオケ楽曲中の所定期間ごとに、用いるタイポグラフィー素材の素材データを適宜切り替えて、より多様な表示形態で歌詞テキストを表示することも可能である。具体的には、カラオケ楽曲中の所定の時間（例えば、１５秒、３０秒等）ごと、又はカラオケ楽曲のフレーズごとに、タイポグラフィ素材として使用する素材データを、カラオケ端末装置３０のＣＰＵ３０ａが複数の中からランダムに選択し（乱数表等を利用したランダム選択処理を行う）、ＣＰＵ３０ａに制御によるカラオケ楽曲の再生処理が進行すると、所定期間ごと又はフレーズごとに、ランダムに選択された素材データを用いるようにして、歌詞テキストの表示形態を順次、様々に切り替えることが考えられる（ＣＰＵ３０ａは、歌詞パターンを切り替える手段として機能）。
【０１９２】
あるいは、図２０の編集画面５０を、カラオケ楽曲中の所定期間又はカラオケ楽曲のフレーズごとに、ユーザが素材データを選択できる仕様にしておき、カラオケ楽曲の再生処理が進行すると、所定期間ごと又はフレーズごとに、ユーザが選択した素材データを用いるようにして、歌詞テキストの表示形態をＣＰＵ３０ａの制御により、様々に切り替えることも可能である。
【０１９３】
このような変形例では、カラオケ楽曲中の一の所定期間に応じた箇所の楽曲データの再生処理を行う場合、複数種類の中の一つの歌詞表示タイミングで、複数種類の中の一つの素材データが規定した動き方に基づき、歌詞テキストデータの表示処理が行われ、カラオケ楽曲中の他の所定期間に応じた箇所の楽曲データの再生処理を行う場合、複数種類の中の他の歌詞表示タイミングで、複数種類の中の他の素材データが規定する歌詞テキストの動き方に基づいて行われる歌詞テキストデータの表示処理の対象となる歌詞パターンが切り替えられるので、次に、歌詞テキストが、どのような動き方をするかというワクワク感、期待感をユーザは楽しむことができ、カラオケ楽曲を楽しむユーザの気持ちを盛り上げることができる。
【０１９４】
なお、上述した一つのカラオケ楽曲に対して複数種類のタイポグラフィー素材の素材データを切り替えて用いる変形例は、タイポグラフィー素材の素材データだけでなく、パーティクル素材の素材データ、イコライザー素材の素材データ、ムービー画像素材の素材データ、又はムービー映像素材の素材データにも勿論適用可能である。
【０１９５】
また、上述した実施形態では、様々なタイポグラフィー素材（歌詞パターン）を二種類に区別し、その区別の基準として、あるフレーズに応じた歌詞部分に含まれるテキストが一文字ずつ徐々に（又は順次）画面上に表示されるタイプと、あるフレーズに応じた歌詞部分に含まれるテキストの全文字が一度に又は順次）画面上に表示されるタイプとで分けるにようにしたが、このような分け方の基準に限定されるものではなく、他の様々な分け方の基準を適用することが可能である。
【０１９６】
たとえば、テキストの文字を早めに表示して（具体的には、対応するフレーズの二拍子前など）、文字表示が開始されると、ゆっくり動かすタイプと、テキストの文字を早めに表示せずに（具体的には、対応するフレーズの一拍子前など）、文字表示が開始されると、前者のタイプよりは早く動かすタイプとに分けるようにしてもよい。このような例では、図６に示す表示タイミングＮｏ．１としては、前者のゆっくり動かすタイプを当てはめ、表示タイミングＮｏ．２としては、後者の早く動かすタイプを当てはめることになる。そして、表示タイミングＮｏ．１のゆっくり動かすタイプに該当するタイポグラフィー素材の例としては、「レインダウン」、「エピソード」、「ウォータードロップ」及び「ロングスロー」等があり、表示タイミングＮｏ．２の早く動かすタイプに該当するタイポグラフィー素材の例としては、「ライトフレームイン」、「アッパーフレームイン」、「スライディング」及び「スライドインライト」等がある。
【０１９７】
また、タイポグラフィー素材の表示又は消去タイミングは、上述したように二種類に分ける以外にも、さらに細かく分けるようにすることも可能であり、例えば、各タイポグラフィー素材ごとに、表示又は消去のタイミングを規定するようにしてもよく、この場合は、タイプグラフィー素材ごとに異なる表示又は消去タイミングを規定した複数種類のタイミングを含む割当テーブルを用いるようになる。
【０１９８】
一方、上述した実施形態より仕様を簡易にする変形例も様々なものが存在し、例えば、図５（ｃ）に示す背景画像切替タイミングを省略して、カラオケ楽曲の再生時間をカウント（計数）して、単純に一定の時間（例えば２０秒）ごとにタイミングを切替タイミングとすることも可能である。
【０１９９】
また、カラオケ画面の合成画像２５０を構成する素材レイヤーとしては、上述した４種類を必ず用いる必要はなく、カラオケ歌唱時の歌詞を確認するという意味において、タイポグラフィーレイヤーのみが必須であり、その他の素材レイヤーは適宜省略して、仕様を簡易化することも可能である。また、そのような仕様を簡易化する場合は、図２０に示す編集画面５０の内容も適宜簡略化できる。このような簡略化される例としては、タイポグラフィーレイヤーとインジケータレイヤーで合成画像を構成する場合、タイポグラフィーレイヤーとムービーレイヤーで合成画像を構成する場合、タイポグラフィーレイヤーとインジケータレイヤーとムービーレイヤーとで合成画像を構成する場合等が存在する。
【０２００】
さらに、上述した複数種類のタイポグラフィー素材の中で、同様の表示又は消去のタイミングのタイポグラフィー素材だけを用いるようにして、表示又は消去タイミングを、図５、６等で示した二種類のものを用いるのではなく、単一のタイミングだけを用いるようにして、同様のタイミングを有する複数種類の中から一つのタイポグラフィー素材による歌詞テキストの表示処理を、カラオケ楽曲の再生進行状況に合わせてＣＰＵ３０ａの制御により行うことも可能である。上述したような各種仕様を簡易化したものでも、本発明の特徴である「歌詞テキストが動いて表示されること」、タイポグラフィー素材を適宜変えることで、「歌詞テキストの動き方を多様にできること」等は実現されるので、カラオケを楽しむユーザの気分を盛り上げることができる。
【０２０１】
一方、システム的な面においても様々な変形例を想定することができ、たとえば、カラオケ端末装置３０に、本発明で必要なデータベース及び各種プログラム等を記憶させ、カラオケシステム１をスタンドアロンのカラオケ端末装置３０で実現することもできる。また、それとは逆に、本発明で必要なデータベース及びプログラム等をカラオケサーバ１０に記憶させ、カラオケ端末装置３０では、処理に必要なデータ及びプログラム等を、カラオケサーバ１０との通信を介して随時取り込むような仕様にすることも可能である。いずれにしても、本発明に必要な複数のデータベース及び各種プログラムを、カラオケサーバ１０又はカラオケ端末装置３０のいずれで記憶させるかは、設計事項的なものであり、要求される仕様等に応じて、如何様にシステムを構築することができ、そのようにシステムを構築した場合でも、本発明を実施することは可能である。
【産業上の利用可能性】
【０２０２】
本発明は、カラオケの歌詞テキストを様々な形態で動くように表示する場合に対して好適に利用可能である。
【符号の説明】
【０２０３】
１  カラオケシステム
１０  カラオケサーバ
２０  カラオケ楽曲ＤＢ
２１  素材ＤＢ
２１ａ  パーティクル素材ＤＢ
２１ｂ  タイポグラフィー素材ＤＢ
２１ｃ  イコライザー素材ＤＢ
２１ｄ  ムービー画像素材ＤＢ
２１ｅ  ムービー映像素材ＤＢ
３０  カラオケ端末装置
３７  カラオケプログラム
３８  ユーザ素材ＤＢ
４０  カラオケ背景設定ＤＢ
４１  カラオケお気に入りＤＢ
４２  カラオケ履歴ＤＢ
４３  カラオケ予約ＤＢ
５０  編集画面
５１  レイヤーアイコン
５２  素材サムネイル部
５３  プレビュー合成画像
５４  説明情報
２５０  合成画像
ＮＷ  ネットワーク
【図１】
0005839956.tif 000002
【図２】
0005839956.tif 000003
【図３】
0005839956.tif 000004
【図４】
0005839956.tif 000005
【図５】
0005839956.tif 000006
【図６】
0005839956.tif 000007
【図７】
0005839956.tif 000008
【図８】
0005839956.tif 000009
【図９】
0005839956.tif 000010
【図１０】
0005839956.tif 000011
【図１１】
0005839956.tif 000012
【図１２】
0005839956.tif 000013
【図１３】
0005839956.tif 000014
【図１４】
0005839956.tif 000015
【図１５】
0005839956.tif 000016
【図１６】
0005839956.tif 000017
【図１７】
0005839956.tif 000018
【図１８】
0005839956.tif 000019
【図１９】
0005839956.tif 000020
【図２０】
0005839956.tif 000021
【図２１】
0005839956.tif 000022
【図２２】
0005839956.tif 000023
【図２３】
0005839956.tif 000024
【図２４】
0005839956.tif 000025